(57)【要約】【課題】コンテンツにかかる情報の訴求効果を向上させることができる。【解決手段】本願にかかる情報表示装置は、所定の表示領域のうち画面上に表示される範囲である表示範囲に第１コンテンツを配置して表示する表示部と、前記表示範囲の大きさに応じて、前記第１コンテンツの縦横比を保ったまま当該第１コンテンツの縮尺を変更することで、前記第１コンテンツのうち前記表示範囲内に表示される範囲の縦横比を変更する変更部とを有することを特徴とする。【選択図】図１
2017058643.tif 000002
【特許請求の範囲】
【請求項１】
所定の表示領域のうち画面上に表示される範囲である表示範囲に第１コンテンツを配置して表示する表示部と、
前記表示範囲の大きさに応じて、前記第１コンテンツの縦横比を保ったまま当該第１コンテンツの縮尺を変更することで、前記第１コンテンツのうち前記表示範囲内に表示される範囲の縦横比を変更する変更部と
を有することを特徴とする情報表示装置。
【請求項２】
前記変更部は、前記第１コンテンツのうち前記表示範囲内に表示される範囲の縦横比を、前記表示範囲の縦横比に合わせることを特徴とする請求項１に記載の情報表示装置。
【請求項３】
前記変更部は、縦方向の表示サイズが、前記表示範囲の縦方向の表示サイズと同一となる様に、前記第１コンテンツの縮尺を変更する
ことを特徴とする請求項１または２に記載の情報表示装置。
【請求項４】
前記変更部は、利用者の操作により前記表示範囲の広さが狭まった場合は、前記第１コンテンツの縦横比を保ったまま表示サイズを縮小することで、当該第１コンテンツのうち画面上に表示される範囲を拡大する
ことを特徴とする請求項１〜３のうちいずれか１つに記載の情報表示装置。
【請求項５】
前記変更部は、利用者の操作により前記表示範囲の広さが広がった場合は、前記第１コンテンツの縦横比を保ったまま表示サイズを拡大することで、当該第１コンテンツのうち画面上に表示される範囲を縮小する
ことを特徴とする請求項１〜４のうちいずれか１つに記載の情報表示装置。
【請求項６】
前記変更部は、前記表示領域と共に表示される第２コンテンツを移動させる操作に基づいて、前記第１コンテンツの縮尺と、前記表示領域内に表示される範囲の縦横比とを変更する
ことを特徴とする請求項１〜５のうちいずれか１つに記載の情報表示装置。
【請求項７】
前記変更部は、前記第２コンテンツを移動させる操作に基づいて、当該第２コンテンツのうち画面上に表示される範囲の大きさと、前記表示領域との大きさとを変更する
ことを特徴とする請求項６に記載の情報表示装置。
【請求項８】
前記変更部は、前記第２コンテンツを移動させる操作の結果、前記表示範囲の大きさが変化した場合は、変化後の大きさに応じて、前記第１コンテンツの縮尺と、前記表示範囲内に表示される範囲の縦横比とを変更する
ことを特徴とする請求項６または７に記載の情報表示装置。
【請求項９】
前記表示部は、前記表示範囲内に前記第１コンテンツのうち一部の領域を配置して表示し、
前記変更部は、前記第１コンテンツの移動操作が行われた場合は、前記第１コンテンツのうち前記表示範囲内に表示される範囲を変更する
ことを特徴とする請求項１〜８のうちいずれか１つに記載の情報表示装置。
【請求項１０】
前記変更部は、前記第１コンテンツの左端と前記表示範囲の左端とを接触させたまま、前記第１コンテンツの縮尺と、前記表示範囲内に表示される範囲の縦横比とを変更する
ことを特徴とする請求項１〜９のうちいずれか１つに記載の情報表示装置。
【請求項１１】
前記変更部は、前記表示範囲が狭まった場合は、前記第１コンテンツの中心を前記表示範囲の中心の方向へ徐々に移動させながら、当該第１コンテンツの縮尺と前記表示範囲内に表示される範囲の縦横比とを変更する
ことを特徴とする請求項１〜１０のいずれか１つに記載の情報表示装置。
【請求項１２】
前記表示部は、前記表示領域として、横幅が画面の横幅と同じ表示サイズの領域内に前記第１コンテンツを配置する
ことを特徴とする請求項１〜１１のうちいずれか１つに記載の情報表示装置。
【請求項１３】
前記表示部は、前記画面の上端または下端に、前記表示領域を配置する
ことを特徴とする請求項１〜１２のうちいずれか１つに記載の情報表示装置。
【請求項１４】
前記表示部は、前記第１コンテンツとして、前記表示領域の全体よりも表示サイズが大きいコンテンツを表示する
ことを特徴とする請求項１〜１３のうちいずれか１つに記載の情報表示装置。
【請求項１５】
前記表示部は、前記第１コンテンツとして、複数のコンテンツを横方向に並べた第１コンテンツを表示する
ことを特徴とする請求項１〜１４のうちいずれか１つに記載の情報表示装置。
【請求項１６】
前記表示部は、前記第１コンテンツとして、それぞれが同じ動画像の異なるフレームを示す複数の画像を横方向に並べたコンテンツを表示する
ことを特徴とする請求項１〜１５のうちいずれか１つに記載の情報表示装置。
【請求項１７】
前記表示部は、前記複数の画像として、利用者によって選択された際に前記動画像の対応するフレームから再生を開始する画面に遷移可能な画像を横方向に並べたコンテンツを表示する
ことを特徴とする請求項１６に記載の情報表示装置。
【請求項１８】
前記表示部は、前記第１コンテンツとして、動画像を含む第１コンテンツを表示し、
前記変更部は、前記第１コンテンツの縮尺を変更するとともに、当該第１コンテンツに含まれる動画像のうち、表示するフレームを変更する
ことを特徴とする請求項１〜１７のうちいずれか１つに記載の情報表示装置。
【請求項１９】
情報表示装置が実行する情報表示方法であって、
所定の表示領域のうち画面上に表示される範囲である表示範囲に第１コンテンツを配置して表示する表示工程と、
前記表示範囲の大きさに応じて、前記第１コンテンツの縦横比を保ったまま当該第１コンテンツの縮尺を変更することで、前記第１コンテンツのうち前記表示範囲内に表示される範囲の縦横比を変更する変更工程と
を含むことを特徴とする情報表示方法。
【請求項２０】
コンピュータに、
所定の表示領域のうち画面上に表示される範囲である表示範囲に第１コンテンツを配置して表示する表示手順と、
前記表示範囲の大きさに応じて、前記第１コンテンツの縦横比を保ったまま当該第１コンテンツの縮尺を変更することで、前記第１コンテンツのうち前記表示範囲内に表示される範囲の縦横比を変更する変更手順と
を実行させることを特徴とする情報表示プログラム。
【請求項２１】
第１コンテンツを表示する端末装置に制御情報を配信する配信部を備え、
前記制御情報は、
所定の表示領域のうち画面上に表示される範囲である表示範囲に前記第１コンテンツを配置して表示する表示手順と、
前記表示範囲の大きさに応じて、前記第１コンテンツの縦横比を保ったまま当該第１コンテンツの縮尺を変更することで、前記第１コンテンツのうち前記表示範囲内に表示される範囲の縦横比を変更する変更手順と
を前記端末装置に実行させることを特徴とする配信装置。
【発明の詳細な説明】
【技術分野】
【０００１】
本発明は、情報表示装置、情報表示方法、情報表示プログラムおよび配信装置に関する。
【背景技術】
【０００２】
近年、インターネットを介した広告配信が盛んに行われている。例えば、ウェブページの所定の位置に企業や商品等に関する静止画像、動画像、テキスト等の広告コンテンツを表示し、ユーザが広告コンテンツをクリックした際に、広告主によって提供されるページを表示する広告配信が知られている。このような広告表示に関する技術として、広告コンテンツ等のユーザに閲覧させたいコンテンツと、ウェブページ等の情報コンテンツとを重ねて表示する技術が提案されている。
【先行技術文献】
【特許文献】
【０００３】
【特許文献１】特開２００３−０２２０４２号公報
【特許文献２】特開２００９−１９４４９１号公報
【発明の概要】
【発明が解決しようとする課題】
【０００４】
しかしながら、上記の従来技術では、ユーザに閲覧させたいコンテンツにかかる情報の訴求効果を向上させることができない。例えば、上記の従来技術では、ユーザに閲覧させたいコンテンツを情報コンテンツに重ねて表示するに過ぎず、コンテンツに対するユーザの関心を引き起こすことができない結果、コンテンツにかかる情報の訴求効果を向上させることができない。
【０００５】
本願は、上記に鑑みてなされたものであって、コンテンツにかかる情報の訴求効果を向上させる情報表示装置、情報表示方法、情報表示プログラムおよび配信装置を提供することを目的とする。
【課題を解決するための手段】
【０００６】
本願にかかる情報表示装置は、所定の表示領域のうち画面上に表示される範囲である表示範囲に第１コンテンツを配置して表示する表示部と、前記表示範囲の大きさに応じて、前記第１コンテンツの縦横比を保ったまま当該第１コンテンツの縮尺を変更することで、前記第１コンテンツのうち前記表示範囲内に表示される範囲の縦横比を変更する変更部とを有することを特徴とする。
【発明の効果】
【０００７】
実施形態の一態様によれば、コンテンツにかかる情報の訴求効果を向上させることができるという効果を奏する。
【図面の簡単な説明】
【０００８】
【図１】図１は、実施形態に係る端末装置の一例を示す図である。
【図２】図２は、実施形態に係る端末装置が動画像を再生する再生処理の一例を示す図である。
【図３】図３は、実施形態に係る配信システムの構成例を示す図である。
【図４】図４は、実施形態に係る広告配信サーバの構成例を示す図である。
【図５】図５は、実施形態に係る広告データベースに格納された情報の一例を示す図である。
【図６】図６は、実施形態に係るコンテンツ配信サーバの構成例を示す図である。
【図７】図７は、実施形態に係る端末装置の構成例を示す図である。
【図８】図８は、実施形態にかかる端末装置がコンテンツを表示する態様の一例を示す図である。
【図９】図９は、実施形態にかかる端末装置が実行する表示装置のバリエーションを示す図である。
【図１０】図１０は、実施形態にかかる端末装置が画面の下端にコンテンツを配置して表示する際の処理の一例を示す図である。
【図１１】図１１は、実施形態に係る端末装置が実行する表示処理と再生処理との流れの一例を示すフローチャートである。
【図１２】図１２は、広告配信サーバの機能を実現するコンピュータの一例を示すハードウェア構成図である。
【発明を実施するための形態】
【０００９】
以下に、本願にかかる情報表示装置、情報表示方法、情報表示プログラムおよび配信装置を実施するための形態（以下、「実施形態」と記載する。）について図面を参照しつつ詳細に説明する。なお、この実施形態により本願にかかる情報表示装置、配信装置、情報表示方法および情報表示プログラムが限定されるものではない。また、以下の各実施形態において同一の部位には同一の符号を付し、重複する説明は省略される。
【００１０】
〔１．端末装置１００の一例〕
まず、図１を用いて、情報表示装置の一例である端末装置１００が実行する処理の一例について説明する。図１は、実施形態に係る端末装置の一例を示す図である。図１では、端末装置１００によって、ウェブページＣ１０と、コンテンツＣ２０とが、端末装置１００の画面上に表示される例を示す。
【００１１】
なお、以下の説明では、ウェブページＣ１０やコンテンツＣ２０を画面に表示する際に基準となる位置であり、ウェブページＣ１０やコンテンツＣ２０を表示する際に、画面上の最も上側に配置される端をウェブページＣ１０やコンテンツＣ２０の上端と記載する。また、ウェブページＣ１０やコンテンツＣ２０を画面に表示する際に生じる端のうち、画面上の最も下側に配置される端をウェブページＣ１０やコンテンツＣ２０の下端と記載する。また、ウェブページＣ１０やコンテンツＣ２０を画面に表示する際に生じる端のうち、上端および下端に対して左側の端をウェブページＣ１０やコンテンツＣ２０の左端と記載し、上端および下端に対して右側の端をウェブページＣ１０やコンテンツＣ２０の右端と記載する。
【００１２】
また、以下の説明では、画面のうち、ウェブページＣ１０やコンテンツＣ２０を表示する際の基準となる端であり、ウェブページＣ１０やコンテンツＣ２０の上側が表示される方向の端を画面の上端と記載し、ウェブページＣ１０やコンテンツＣ２０の下側が表示される方向の端を画面の下端と記載する。また、端末装置１００が有する画面上において、ウェブページＣ１０やコンテンツＣ２０の上端が表示される方向を画面上方向と記載し、画面上においてウェブページＣ１０やコンテンツＣ２０の下端が配置される方向を画面下方向と記載する。また、端末装置１００が有する画面上において、ウェブページＣ１０やコンテンツＣ２０の左端が表示される方向を画面左方向と記載し、画面上においてウェブページＣ１０やコンテンツＣ２０の右端が配置される方向を画面右方向と記載する。
【００１３】
図１に示した端末装置１００は、スマートフォンやタブレット等のスマートデバイスであり、３Ｇ（Generation）やＬＴＥ（Long  Term  Evolution）等の無線通信網を介して任意のサーバ装置と通信を行うことができる携帯端末装置である。また、端末装置１００は、液晶ディスプレイ等の画面を有する。なお、端末装置１００には、タッチパネルが採用されているものとする。すなわち、端末装置１００の利用者は、指やスタイラスで画面をタッチすることにより各種操作を行う。
【００１４】
ウェブページＣ１０は、例えば、ニュース等のコンテンツが配置されたウェブページである。なお、ウェブページＣ１０は、他のコンテンツが配置されたウェブページであってもよく、ニュース、天気予報、受信メールのインデックスや内容、フォトビュワー、その他各種のコンテンツが配置された、いわゆるポータルサイトであってもよい。例えば、ウェブページＣ１０は、ＨＴＭＬ（Hyper  Text  Markup  Language）やＸＭＬ（Extensible  Markup  Language）等で記述されたウェブページである。
【００１５】
また、ウェブページＣ１０は、ニュース、天気予報、受信メールのインデックスや内容、フォトビュワー、その他各種のコンテンツが独立したタイル状に配置されたコンテンツであり、タイル状に配置されたコンテンツごとに操作や更新等を行うことができるコンテンツであってもよい。また、ウェブページＣ１０には、広告に関連するコンテンツが配置されたタイルが随時挿入されてもよい。なお、ウェブページＣ１０に配置される各タイルの大きさ、配置位置、配置されるタイルの数は、タイルごとに自動で変更されてもよく、利用者の操作に応じて変更されてもよい。また、ウェブページＣ１０には、検索キーワードを入力するための入力欄や、他のウェブページへのリンク等が含まれていてもよい。
【００１６】
ここで、ウェブページＣ１０は、スマートデバイス用に最適化されたウェブページであり、横方向の表示サイズが、端末装置１００が有する画面の横方向の表示サイズと同じウェブページであるものとする。また、ウェブページＣ１０は、縦方向の表示サイズが、端末装置１００が有する出力部１３０の縦方向の表示サイズ以上となるウェブページであるものとする。
【００１７】
コンテンツＣ２０は、ウェブページＣ１０とともに表示されるコンテンツであり、例えば、広告に係るコンテンツ（以下、広告コンテンツと記載する。）である。例えば、コンテンツＣ２０は、複数の画像Ｃ２１〜Ｃ２５を含む。各画像Ｃ２１〜Ｃ２５は、同一の動画像に含まれるフレームであって、それぞれ異なるフレームの画像である。すなわち、各画像Ｃ２１〜Ｃ２５は、同一の動画像のうち、それぞれ異なる再生位置を示すサムネイル画像である。
【００１８】
ここで、コンテンツＣ２０は、各画像Ｃ２１〜Ｃ２５を、再生位置の時系列順に画面横方向に並べたコンテンツである。例えば、画像Ｃ２１は、動画像Ｃ３０のうち、再生後０秒目に表示されるフレームの画像であり、画像Ｃ２２は、動画像Ｃ３０のうち、再生後３０秒目に表示されるフレームの画像である。また、画像Ｃ２３は、動画像Ｃ３０のうち、再生後１分目に表示されるフレームの画像であり、画像Ｃ２４は、動画像Ｃ３０のうち、再生後１分３０秒目に表示されるフレームの画像であり、画像Ｃ２５は、動画像Ｃ３０のうち、再生後２分目に表示されるフレームの画像である。なお、画像Ｃ２１は、動画像Ｃ３０の概要を示す他の画像、すなわち、動画像Ｃ３０のサムネイルであってもよい。
【００１９】
また、各画像Ｃ２１〜Ｃ２５は、横方向の表示サイズが端末装置１００の画面（以下、単に画面と記載する。）が有する横幅と同程度の画像である。このため、各画像Ｃ２１〜Ｃ２５を画面横方向に並べたコンテンツＣ２０は、横方向の表示サイズが画面の横幅よりも大きなコンテンツである。なお、実施形態は、これに限定されるものではなく、例えば、各画像Ｃ２１〜Ｃ２５は、コンテンツＣ２０の横方向の表示サイズが画面の横幅よりも大きくなるのであれば、横方向の表示サイズが画面の横幅よりも小さい画像であってもよい。
【００２０】
なお、後述するように、コンテンツＣ２０は、ＣＳＳ（Cascading  Style  Sheets）、Ｊａｖａ  Ｓｃｒｉｐｔ（登録商標）、ＨＴＭＬ５、その他の動的なコンテンツを記述可能なスクリプト等により、配置位置や表示位置が設定される結果、利用者の操作等により表示態様が変化するコンテンツである。例えば、コンテンツＣ２０は、利用者の操作により表示、消去、拡大、縮小、移動、回転、再生、一時停止等の制御が行われる画像、文字、図形、記号、動画像等を含みうるコンテンツである。なお、コンテンツＣ２０は、ウェブページＣ１０と同様に、ＨＴＭＬやＸＭＬ等で記述されたウェブページであってもよい。
【００２１】
ここで、広告に係るコンテンツとは、営利若しくは非営利の広告だけではなく、ボランティアの募集、公共広告、公共に対する通知、ウェブページＣ１０にかかる情報の一部、その他任意のコンテンツであるものとする。すなわち、コンテンツＣ２０は、いわゆる広告関連の情報を含むコンテンツのみならず、利用者に興味を抱かせ、コンテンツＣ２０に含まれる情報、または、コンテンツＣ２０と関連するコンテンツ（例えば、ランディングページや、動画像Ｃ３０等）に含まれる情報を広く報知するものであれば、画像、動画像、文字、図形、記号、ハイパーリンク、その他任意のコンテンツを適用可能である。すなわち、利用者に対してウェブページＣ１０よりも興味を生じさせようとするコンテンツであれば、任意のコンテンツをコンテンツＣ２０として適用可能である。
【００２２】
端末装置１００は、ウェブページＣ１０の配信を受けると、広告に係るコンテンツの配信を行う広告配信サーバ２０に配信要求を送信する。そして、端末装置１００は、広告配信サーバ２０から広告に係るコンテンツとして、コンテンツＣ２０の配信を受けると、ウェブページＣ１０とコンテンツＣ２０とを表示する。
【００２３】
〔２．端末装置１００が実行する表示処理〕
ここで、従来技術では、利用者に閲覧させたいコンテンツを情報コンテンツに重ねて表示するに過ぎず、コンテンツにかかる情報の訴求効果を向上させることができない。
【００２４】
また、従来、ウェブページＣ１０のうち、初期表示が行われる範囲内にコンテンツＣ２０を配置することで、コンテンツＣ２０のインプレッション数を向上させるといった表示処理が行われてきた。しかしながら、利用者がコンテンツＣ２０の配信前にウェブページＣ１０をスクロールさせた場合は、利用者が実際にコンテンツＣ２０を視認していないにも関わらず、コンテンツＣ２０が視認されたものとしてインプレッション数がカウントされてしまう。
【００２５】
また、コンテンツＣ２０を利用者に視認させるため、スクロール操作が行われても、ウェブページＣ１０のみをスクロールさせ、画面上の所定の位置にコンテンツＣ２０を表示し続ける技術が考えられる。しかしながら、このような技術では、ウェブページＣ１０を注視する利用者のコンテンツに対する印象が悪化してしまう。一方で、広告配信に対する課金は、利用者による閲覧や選択等に対して行われるため、広告にかかるコンテンツは、利用者の目に留まり易い態様で行われるのが望ましい。
【００２６】
〔２−１．表示処理〕
そこで、端末装置１００は、以下に説明する表示処理を行う。以下、端末装置１００が実行する表示処理の具体例について説明する。例えば、端末装置１００は、ウェブページＣ１０と、コンテンツＣ２０との配信を受付ける。このような場合、端末装置１００は、縦方向の表示サイズがコンテンツＣ２０の縦方向の表示サイズと同じ大きさであって、横方向の表示サイズが画面の横方向の表示サイズと同じ大きさの表示領域Ｃ１１を生成する。なお、端末装置１００は、コンテンツＣ２０の配信を行う広告配信サーバ２０から、表示領域Ｃ１１の表示サイズの通知を受付けてもよく、コンテンツＣ２０の表示サイズや画面のサイズ等から、自動的に設定してもよい。
【００２７】
そして、端末装置１００は、ウェブページＣ１０の上端に表示領域Ｃ１１を配置した結合コンテンツを生成し、結合コンテンツの上端、すなわち、表示領域Ｃ１１の上端を画面の上端と接するように配置する。また、端末装置１００は、コンテンツＣ２０の左端が表示領域Ｃ１１の左端と接するように、コンテンツＣ２０を表示領域Ｃ１１と重ねて表示する。この結果、端末装置１００は、初期表示として、コンテンツＣ２０のうち画像Ｃ２１が配置された部分と、ウェブページＣ１０とを並べて表示する。より具体的には、端末装置１００は、初期表示として、画面上方向に画像Ｃ２１を表示し、画面下方向にウェブページＣ１０を配置して表示することとなる。
【００２８】
ここで、利用者がコンテンツＣ２０よりもウェブページＣ１０に興味を有する場合、ウェブページＣ１０を閲覧するため、ウェブページＣ１０を画面上方向に移動させるスクロール操作（以下、上スクロール操作と記載する。）を行うと考えられる。しかしながら、このような上スクロール操作が行われた際に、ウェブページＣ１０とコンテンツＣ２０とを画面上方向に移動させた場合は、コンテンツＣ２０に係る情報が利用者に対してあまり伝わらない。
【００２９】
そこで、端末装置１００は、スクロール操作が行われた場合は、ウェブページＣ１０と表示領域Ｃ１１とをスクロール操作に従ってスクロールさせる。この結果、表示領域Ｃ１１のうち、画面内に含まれる表示範囲の縦横比は、スクロール操作に応じて変化することとなる。そして、端末装置１００は、表示範囲の大きさに応じて、コンテンツＣ２０の縦横比を保ったまま、コンテンツＣ２０の縮尺を変更することで、コンテンツＣ２０のうち表示範囲内に表示される範囲の縦横比を変更する。より具体的には、端末装置１００は、コンテンツＣ２０全体の縦横比を変更することなく、コンテンツＣ２０のうち画面内に表示される範囲の縦横比を、表示範囲の縦横比に合わせるように、コンテンツＣ２０の縮尺を変更する。また、端末装置１００は、表示範囲内に、隙間なく（すなわち、表示領域全体に）コンテンツＣ２０を表示する。
【００３０】
例えば、端末装置１００は、上スクロール操作が行われた場合、ウェブページＣ１０と表示領域Ｃ１１とを画面上方向に移動させる。かかる処理の結果、表示領域Ｃ１１のうち画面内に表示される表示範囲の縦横比は、上スクロール操作に従って徐々に横長となる。そこで、端末装置１００は、上スクロール操作が行われた場合は、コンテンツＣ２０の左端を表示範囲の左端と接触させたまま、コンテンツＣ２０の縦方向の表示サイズが、表示領域の縦方向の表示サイズと一致するように、コンテンツＣ２０全体の縦横比を変更することなく、その表示サイズを縮小する。
【００３１】
このような処理を実行した場合、端末装置１００は、上スクロール操作に従って、コンテンツＣ２０全体の表示サイズを徐々に減少させつつ、コンテンツＣ２０のうち画面内に表示される範囲を徐々に拡大することとなる。この結果、端末装置１００は、利用者が上スクロール操作によりコンテンツＣ２０を画面外へと移動させようとしているにも関わらず、コンテンツＣ２０のうち画面内に表示される範囲を徐々に拡大するといった複雑な態様で、コンテンツＣ２０を表示することができる。この結果、端末装置１００は、コンテンツＣ２０に対する気づきや興味を生じさせることができるので、コンテンツＣ２０に係る情報の訴求効果を向上させることができる。
【００３２】
ここで、上述した処理によりコンテンツＣ２０に対して興味を持った利用者は、ウェブページＣ１０を画面下方向へと移動させるスクロール操作（以下、下スクロール操作と記載する。）を行うと考えられる。このような下スクロール操作が行われた場合、表示範囲の縦横比は、下スクロール操作に従って徐々に元の縦横比に近づく。そこで、端末装置１００は、下スクロール操作が行われた場合は、コンテンツＣ２０の左端を表示範囲の左端と接触させたまま、コンテンツＣ２０の縦方向の表示サイズが、表示領域の縦方向の表示サイズと一致するように、コンテンツＣ２０全体の縦横比を変更することなく、その表示サイズを拡大する。
【００３３】
このような処理を実行した場合、端末装置１００は、下スクロール操作に従って、コンテンツＣ２０全体の表示サイズを徐々に拡大させるものの、コンテンツＣ２０のうち画面内に表示される範囲を徐々に縮小するといった複雑な態様で、コンテンツＣ２０を表示することができる。この結果、端末装置１００は、コンテンツＣ２０に対する気づきや興味を生じさせることができるので、コンテンツＣ２０に係る情報の訴求効果を向上させることができる。
【００３４】
なお、端末装置１００は、上スクロール操作や下スクロール操作以外にも、任意の操作により、表示領域Ｃ１１の表示範囲が変化した場合には、変化後の表示領域の表示サイズや縦横比に応じて、コンテンツＣ２０の縮尺を変更して良い。例えば、端末装置１００は、各画像Ｃ２１〜Ｃ２５を縦方向に並べたコンテンツＣ２０を表示領域Ｃ１１と重ねて表示する。そして、端末装置１００は、ウェブページＣ１０と表示領域Ｃ１１とを画面横方向に移動させるスクロール操作により、表示領域Ｃ１１のうち画面内に表示される範囲の横方向の表示サイズが狭まった場合は、コンテンツＣ２０全体を縮小することで、コンテンツＣ２０のうち画面内に表示される範囲を拡大してもよい。また端末装置１００は、拡大縮小操作により、表示領域が変化した場合はコンテンツＣ２０の縮尺を変更してよい。
【００３５】
〔２−２．コンテンツＣ２０を選択した際の処理について〕
ここで、端末装置１００は、コンテンツＣ２０を利用者がタップする等して、選択した場合は、コンテンツＣ２０に対応する動画像Ｃ３０の再生を開始する。より具体的には、端末装置１００は、動画像Ｃ３０のうち、利用者がタップした画像と対応するフレームから再生を開始する。
【００３６】
例えば、端末装置１００は、利用者がタップした画面上の位置に画像Ｃ２１が表示されている場合は、先頭のフレームから動画像Ｃ３０の再生を開始し、利用者がタップした画面上の位置に画像Ｃ２２が表示されている場合は、先頭から３０秒目に表示されるフレームから、動画像Ｃ３０の再生を開始する。また、端末装置１００は、利用者がタップした画面上の位置に画像Ｃ２３が表示されている場合は、先頭から１分目に表示されるフレームから、動画像Ｃ３０の再生を開始し、利用者がタップした画面上の位置に画像Ｃ２４が表示されている場合は、先頭から１分３０秒目に表示されるフレームから、動画像Ｃ３０の再生を開始し、利用者がタップした画面上の位置に画像Ｃ２５が表示されている場合は、先頭から２分目に表示されるフレームから、動画像Ｃ３０の再生を開始する。
【００３７】
〔２−３．端末装置１００が実行する表示処理の一例〕
以下、図１を用いて、端末装置１００が実行する表示処理の一例を説明する。なお、以下の説明では、コンテンツＣ２０の縮尺を表示範囲の広さに応じて変更する処理を第１状態〜第６状態に分けて説明する。なお、以下の説明では、コンテンツＣ２０には、動画像Ｃ３０のうちそれぞれ異なる再生位置を示す画像Ｃ２１〜Ｃ２５が並べて配置されているものとする。
【００３８】
まず、端末装置１００は、ウェブページＣ１０と、コンテンツＣ２０との配信を受付ける。かかる場合、端末装置１００は、ウェブページＣ１０の上端に表示領域Ｃ１１を配置した結合コンテンツを生成し、結合コンテンツの上端を画面の上端と接するように配置する。また、端末装置１００は、コンテンツＣ２０の左端が表示領域Ｃ１１の左端と接するように、コンテンツＣ２０を表示領域Ｃ１１と重ねて表示する。この結果、端末装置１００は、初期表示として、第１状態に示すようにコンテンツＣ２０のうち画像Ｃ２１が配置された領域と、ウェブページＣ１０とを並べて表示する。
【００３９】
ここで、端末装置１００は、利用者の指Ｆ１０がウェブページＣ１０上で上スクロール操作を行った場合は、上スクロール操作に従って、ウェブページＣ１０と表示領域Ｃ１１とを画面上方向にスクロールさせる。かかる操作が行われた場合は、表示領域Ｃ１１のうち画面内に表示される範囲である表示範囲は、縦方向に徐々に狭まることとなる。そこで、端末装置１００は、表示範囲の大きさに従って、コンテンツＣ２０のうち表示範囲内に表示される範囲の縦横比を変更する。
【００４０】
より具体的には、端末装置１００は、コンテンツＣ２０全体の縦横比を変更することなく、縦方向の表示サイズが表示範囲の縦方向の表示サイズと同一の大きさになるまで、コンテンツＣ２０の表示サイズを縮小する。この結果、端末装置１００は、第２状態に示すように、コンテンツＣ２０の表示サイズを縮小するとともに、コンテンツＣ２０のうち、表示される範囲を、画像Ｃ２２が配置された領域まで拡大する。また、端末装置１００は、利用者の指Ｆ１０がさらに上スクロール操作を行った場合は、ウェブページＣ１０と表示領域Ｃ１１とを画面上方向にスクロールさせ表示範囲の縦方向の大きさをさらに狭める。
【００４１】
この結果、端末装置１００は、第３状態に示すように、コンテンツＣ２０全体の表示サイズをさらに縮小することで、コンテンツＣ２０のうち表示される範囲を画像Ｃ２４が配置された領域まで拡大する。また、端末装置１００は、さらに上スクロール操作が行われた場合は、第４状態に示すように、コンテンツＣ２０全体の表示サイズをさらに縮小することで、コンテンツＣ２０全体を表示する。
【００４２】
ここで、端末装置１００は、コンテンツＣ２０の表示サイズを縮小した結果、コンテンツＣ２０の全体が表示されている際に、さらに上スクロール操作が行われた場合は、第５状態に示すように、ウェブページＣ１０と表示領域Ｃ１１とコンテンツＣ２０とを画面上方向に移動させる。そして、端末装置１００は、さらに上スクロール操作が行われた場合は、第６状態に示すように、表示領域Ｃ１１とコンテンツＣ２０とを画面外まで移動させる結果、画面全体にウェブページＣ１０を表示する。
【００４３】
また、端末装置１００は、下スクロール操作が行われた結果、表示領域Ｃ１１の表示範囲が徐々に拡大した場合は、コンテンツＣ２０の縦横比を変更することなく、コンテンツＣ２０の表示サイズを拡大することで、コンテンツＣ２０のうち表示される範囲を徐々に狭める。例えば、端末装置１００は、図１の第６状態において、利用者の指Ｆ１０が下スクロール操作を行った場合、第５状態および第４状態に示すように、表示サイズを縮小したコンテンツＣ２０を画面上方向から画面下方向へと徐々に移動させる。
【００４４】
また、端末装置１００は、さらに下スクロール操作が行われた場合は、第３状態および第２状態に示すように、表示領域Ｃ１１の表示範囲が拡大するに従い、コンテンツＣ２０の表示サイズを徐々に拡大することで、コンテンツＣ２０のうち表示範囲内に表示される範囲を徐々に狭める。そして、端末装置１００は、さらに下スクロール操作が行われた場合は、第１状態に示すように、コンテンツＣ２０のうち画像Ｃ２１が配置された範囲のみを画面上に表示する。
【００４５】
このように、端末装置１００は、表示領域Ｃ１１のうち画面内に表示される範囲である表示範囲の大きさに応じて、コンテンツＣ２０の縦横比を保ったままその縮尺を変更することで、コンテンツＣ２０のうち表示範囲内に表示される範囲の縦横比を変更する。このため、例えば、端末装置１００は、スクロール操作に応じて、コンテンツＣ２０のうち画面内に表示させる範囲を変更することができるので、コンテンツＣ２０に対する気づきや興味を生じさせる結果、コンテンツＣ２０に係る情報の訴求効果を向上させることができる。
【００４６】
また、端末装置１００は、動画像Ｃ３０のうち、それぞれ異なる再生位置を示す画像Ｃ２１〜Ｃ２５を含むコンテンツＣ２０を表示する。そして、端末装置１００は、スクロール操作に応じて、コンテンツＣ２０のうち表示範囲内に表示する領域を変動させる。このような処理を実行した場合、端末装置１００は、スクロール操作に従って、動画像Ｃ３０の内容を徐々に利用者に示すことができる。この結果、端末装置１００は、例えば、利用者が画像Ｃ２１に対して興味を有さなかった場合にも、動画像Ｃ３０のうち他の再生位置を示す画像Ｃ２２〜Ｃ２５を表示することができるので、動画像Ｃ３０に対する利用者の興味を生じさせることができる。
【００４７】
また、端末装置１００は、コンテンツＣ２０の全体が表示されている際に、さらに上スクロール操作が行われた場合は、コンテンツＣ２０を画面外まで移動させる。このため、端末装置１００は、コンテンツＣ２０がいつまでも画面内に表示されることで、コンテンツＣ２０に興味が無い利用者のコンテンツＣ２０に対する印象が悪化するのを防ぐことができる。この結果、端末装置１００は、コンテンツＣ２０に係る情報の訴求効果を向上させることができる。
【００４８】
なお、第１状態から第３状態に示す際、すなわち、コンテンツＣ２０のうち一部の範囲が画面内に表示されている際に、表示領域Ｃ１１内で利用者の指Ｆ１０が横スクロール操作を行った場合は、端末装置１００は、横スクロール操作に従って、コンテンツＣ２０をスクロールさせてもよい。このような処理を実行することで、端末装置１００は、コンテンツＣ２０に対して興味を持った利用者に対し、コンテンツＣ２０のうち画面内に表示されていない範囲を閲覧させることができるので、コンテンツＣ２０に関する情報の訴求効果を向上させることができる。
【００４９】
〔２−４．端末装置が実行する再生処理の一例〕
次に、図２を用いて、端末装置１００が動画像Ｃ３０を再生する再生処理の一例を説明する。図２は、実施形態に係る端末装置が動画像を再生する再生処理の一例を示す図である。なお、以下の説明では、コンテンツＣ２０に対応する動画像Ｃ３０を再生する処理を第１状態〜第３状態に分けて説明する。
【００５０】
例えば、端末装置１００は、上スクロール操作に従って、コンテンツＣ２０の表示サイズを縮小した結果、第１状態に示すように、コンテンツＣ２０のうち画像Ｃ２１〜Ｃ２３が配置された範囲を画面上に表示する。ここで、端末装置１００は、利用者の指Ｆ１０が画像Ｃ２２を選択した場合、第２状態に示すように、動画像Ｃ３０の再生を開始する。より具体的には、端末装置１００は、動画像Ｃ３０と、動画像Ｃ３０の再生を制御するための制御バーＣ３１とを表示するとともに、動画像Ｃ３０のうち、選択された画像Ｃ２２が示す再生位置から動画像Ｃ３０の再生を開始する。例えば、端末装置１００は、動画像Ｃ３０のうち、先頭から３０秒目のフレームから動画像Ｃ３０の再生を開始する。
【００５１】
一方、端末装置１００は、利用者の指Ｆ１０が画像Ｃ２３を選択した場合、第３状態に示すように、動画像Ｃ３０と制御バーＣ３１とを表示するとともに、動画像Ｃ３０のうち、選択された画像Ｃ２３が示す再生位置から動画像Ｃ３０の再生を開始する。例えば、端末装置１００は、動画像Ｃ３０のうち、先頭から１分目のフレームから動画像Ｃ３０の再生を開始する。なお、端末装置１００は、動画像Ｃ３０の全体を予め取得し、選択された画像が示す再生位置から再生を開始してもよく、動画像Ｃ３０のうち、選択された画像が示す再生位置以降のデータを任意のサーバから取得してもよい。
【００５２】
このように、端末装置１００は、利用者が選択した画像に対応する再生位置から、動画像Ｃ３０の再生を開始する。このため、端末装置１００は、動画像Ｃ３０を利用者が興味を有する再生位置から再生させることができるので、動画像Ｃ３０にかかる情報の訴求効果を向上させることができる。
【００５３】
例えば、コンテンツＣ２０を選択した際に、動画像Ｃ３０の先頭から再生を開始した場合は、動画像Ｃ３０の初版で興味を失った利用者が再生を停止する場合がある。しかしながら、端末装置１００は、コンテンツＣ２０として、動画像Ｃ３０のそれぞれ異なる再生位置を示す画像Ｃ２１〜Ｃ２５を利用者に提示するとともに、利用者が興味を有して選択した画像と対応する再生位置から、動画像Ｃ３０の再生を開始する。このため、端末装置１００は、利用者が動画像Ｃ３０を最後まで閲覧させる機会を増やすことができる。また、端末装置１００は、ウェブページＣ１０のアクセス時に動画像Ｃ３０を突然再生するといった処理を行わず、動画像Ｃ３０の内容を示唆するコンテンツＣ２０を表示するので、動画像Ｃ３０に対する印象の悪化を防ぐことができる。
【００５４】
なお、上述した例では、端末装置１００は、コンテンツＣ２０に含まれる画像Ｃ２１〜Ｃ２５が示す再生位置（フレーム）から、動画像Ｃ３０を再生する例について記載したが、実施形態は、これに限定されるものではない。例えば、端末装置１００は、選択された画像が示す再生位置から所定の秒数だけ前の位置や所定の秒数だけ後の位置等から再生を開始してもよい。すなわち、端末装置１００は、画像Ｃ２１〜Ｃ２５が示すフレームから厳密に再生を開始する必要はなく、画像Ｃ２１〜Ｃ２５が示すシーン等から動画像Ｃ３０の再生を開始してもよい。
【００５５】
〔２−５．コンテンツＣ２０の縮尺を変更する際の態様について〕
上述した例では、端末装置１００は、動画像Ｃ３０のうちそれぞれ異なる再生位置を示す画像Ｃ２１〜Ｃ２５を含むコンテンツＣ２０を表示した。しかしながら、実施形態は、これに限定されるものではない。例えば、端末装置１００は、横方向の表示サイズが画面の横方向のサイズよりも長い画像をコンテンツＣ２０として表示してもよい。例えば、端末装置１００は、複数人が撮影された横長の画像をコンテンツＣ２０として配置するとともに、初期表示においては、コンテンツＣ２０のうち、所定の人物が撮像された範囲のみを表示する。そして、端末装置１００は、上スクロール操作に従って、コンテンツＣ２０全体の表示サイズを縮小するとともに、コンテンツＣ２０のうち画面内に表示される範囲を拡大する。
【００５６】
このようなコンテンツＣ２０を表示した場合、端末装置１００は、スクロール操作に従って、コンテンツＣ２０のうち初期表示では隠されていた人物が撮影された範囲を徐々に表示するといった態様で、コンテンツＣ２０を表示することができる。この結果、端末装置１００は、コンテンツＣ２０に対する興味や気づきを生じさせる結果、コンテンツＣ２０に係る情報の訴求効果を向上させることができる。
【００５７】
〔２−６．実行主体について〕
なお、上記では説明を省略したが、端末装置１００は、上述した表示処理および再生処理を任意の手法で実現することができる。例えば、端末装置１００は、上述した表示処理および再生処理を端末装置１００に実行させるアプリケーションをあらかじめダウンロードし、任意のタイミングでアプリケーションを実行することで、上述した処理を実現してもよい。
【００５８】
また、端末装置１００は、ウェブページＣ１０やコンテンツＣ２０の配信と同時に、上述した表示処理および再生処理を実行させる制御情報の配信を受付ける。そして、端末装置１００は、制御情報に従って上記した表示処理を行う。以下、このような制御情報に従って、図１に示す表示処理や図２に示す再生処理を実行する端末装置１００等について説明する。
【００５９】
〔３．配信システムの構成〕
以下、上記した表示処理を実現する端末装置１００等について説明する。まず、図３を用いて、実施形態に係る配信システム１の構成について説明する。図３は、実施形態に係る配信システムの構成例を示す図である。図３に示すように、配信システム１は、端末装置１００と、広告主端末１０と、広告配信サーバ２０と、コンテンツ配信サーバ３０とを含む。端末装置１００、広告主端末１０、広告配信サーバ２０およびコンテンツ配信サーバ３０は、ネットワークＮを介して有線または無線により通信可能に接続される。なお、図３に示す配信システム１には、複数台の端末装置１００や、複数台の広告主端末１０や、複数台の広告配信サーバ２０や、複数台のコンテンツ配信サーバ３０が含まれてもよい。
【００６０】
端末装置１００は、ウェブページを閲覧する利用者によって利用される情報処理装置である。例えば、端末装置１００は、スマートフォン等の携帯電話機や、タブレット端末や、ＰＤＡ（Personal  Digital  Assistant）や、デスクトップ型ＰＣ（Personal  Computer）や、ノート型ＰＣ等である。端末装置１００は、利用者による操作にしたがって、コンテンツ配信サーバ３０からウェブページＣ１０を取得し、取得したウェブページＣ１０を表示する。また、端末装置１００は、ウェブページＣ１０とともに後述する取得命令が含まれる場合には、コンテンツＣ２０を広告配信サーバ２０から取得する。また、端末装置１００は、上述した表示処理を実現する制御情報の配信を広告配信サーバ２０から受付けた場合は、かかる制御情報に従って動作し、表示処理を実現する。
【００６１】
広告主端末１０は、広告主によって利用される情報処理装置である。例えば、広告主端末１０は、デスクトップ型ＰＣや、ノート型ＰＣや、タブレット端末や、携帯電話機や、ＰＤＡ等である。広告主端末１０は、広告主による操作にしたがって、コンテンツＣ２０や動画像Ｃ３０を広告配信サーバ２０に入稿する。また、広告主端末１０は、コンテンツＣ２０として、静止画像や、動画像や、テキストデータや、ランディングページを取得するためのＵＲＬ（Uniform  Resource  Locator）などを広告配信サーバ２０に入稿する。
【００６２】
なお、広告主は、広告コンテンツの入稿を代理店に依頼する場合がある。この場合、広告配信サーバ２０に広告コンテンツを入稿するのは代理店となる。以下では、「広告主」といった表記は、広告主だけでなく代理店を含む概念であり、「広告主端末」といった表記は、広告主端末１０だけでなく代理店によって利用される代理店装置を含む概念であるものとする。
【００６３】
広告配信サーバ２０は、広告主端末１０から入稿された広告コンテンツを配信するサーバ装置である。例えば、広告配信サーバ２０は、端末装置１００から広告コンテンツの配信要求を受付けると、端末装置１００の場所や利用者の属性等から利用者と広告コンテンツとのマッチングを行い、マッチングの結果配信対象となる広告コンテンツ、すなわちコンテンツＣ２０を端末装置１００に配信する。また、広告配信サーバ２０は、端末装置１００からの要求に従い、動画像Ｃ３０を端末装置１００に配信する。
【００６４】
ここで、広告配信サーバ２０は、上述した表示処理や再生処理を実現するための制御情報を広告コンテンツであるコンテンツＣ２０とともに端末装置１００に配信する。この制御情報は、例えば、ＪａｖａＳｃｒｉｐｔ（登録商標）やＣＳＳ（Cascading  Style  Sheets）等のスクリプト言語により記述される。
【００６５】
コンテンツ配信サーバ３０は、端末装置１００にウェブページＣ１０を配信するウェブサーバ等である。例えば、コンテンツ配信サーバ３０は、ポータルサイト、ニュースサイト、オークションサイト、天気予報サイト、ショッピングサイト、ファイナンス（株価）サイト、路線検索サイト、地図提供サイト、旅行サイト、飲食店紹介サイト、ウェブブログなどに関連する各種情報がタイル状に配置されたウェブページＣ１０を端末装置１００に配信する。なお、コンテンツ配信サーバ３０は、各種情報が配置されたポータルサイト等のウェブページを配信するサーバであってもよい。
【００６６】
ここで、コンテンツ配信サーバ３０によって配信されるウェブページＣ１０には、取得命令が含まれる。例えば、ウェブページＣ１０を形成するＨＴＭＬファイル等には、広告配信サーバ２０のＵＲＬ等が取得命令として記述される。この場合、端末装置１００は、ＨＴＭＬファイル等に記述されているＵＲＬにアクセスすることで、広告配信サーバ２０からコンテンツＣ２０を広告コンテンツとして取得する。
【００６７】
なお、コンテンツ配信サーバ３０から端末装置１００に配信される各種データは、実際にはウェブページを形成するＨＴＭＬファイルや画像、ウェブページとともに表示される動画像等である。
【００６８】
〔４．広告配信サーバの構成〕
次に、図４を用いて、実施形態に係る広告配信サーバ２０の構成について説明する。図４は、実施形態に係る広告配信サーバの構成例を示す図である。図４に示すように、広告配信サーバ２０は、通信部２１と、記憶部２２と、制御部２３とを有する。
【００６９】
通信部２１は、例えば、ＮＩＣ（Network  Interface  Card）等によって実現される。そして、通信部２１は、ネットワークＮと有線または無線で接続され、端末装置１００や広告主端末１０やコンテンツ配信サーバ３０との間で情報の送受信を行う。
【００７０】
記憶部２２は、例えば、ＲＡＭ（Random  Access  Memory)、フラッシュメモリ（Flash  Memory）等の半導体メモリ素子、または、ハードディスク、光ディスク等の記憶装置によって実現される。また、記憶部２２は、広告主端末１０から入稿された広告コンテンツに関する各種情報が格納されたデータベースである広告データベース２４を記憶する。
【００７１】
ここで、図５は、実施形態に係る広告データベースに格納された情報の一例を示す図である。図５に示した例では、広告データベース２４は、広告主ＩＤ、広告コンテンツ、インプレッション数、インプレッション保証数、対価といった項目を有する。なお、広告データベース２４は、コンテンツと利用者とのマッチングを行うための情報や、ＣＴＲ（Click  Through  Rate）といった情報をさらに記憶してもよい。
【００７２】
「広告主ＩＤ」は、広告主または広告主端末１０を識別するための識別情報を示す。「広告コンテンツ」は、広告主端末１０から入稿されたコンテンツ、すなわち、コンテンツＣ２０や動画像Ｃ３０等のコンテンツを示す。なお、図５では「広告コンテンツ」に「Ｃ２０」〜「Ｃ７０」といった概念的な情報が格納される例を示したが、実際には、所定の情報を利用者に伝えようとする個別の画像、動画像、音声と画像、テキストデータ、ゲームのデータ、ゲーム形式の広告等、各コンテンツが所在するＵＲＬ、または、これらの格納場所を示すファイルパス名などが格納される。
【００７３】
広告データベース２４には、広告コンテンツとして、コンテンツＣ２０の他にも、コンテンツＣ２０の表示態様の変更を指示する表示指示が登録される。かかる表示指示には、初期表示においてコンテンツＣ２０のうちどの範囲（例えば、どの画像が配置された範囲）を表示するか、初期表示におけるコンテンツＣ２０の表示サイズ、コンテンツＣ２０の表示サイズをどのような態様で縮小するか等を示す情報が含まれる。また、表示指示には、コンテンツＣ２０に含まれる各画像Ｃ２１〜Ｃ２５を選択した際に、動画像Ｃ３０のうちどのフレームから再生を開始するかを示す情報が含まれる。
【００７４】
また、表示指示には、コンテンツＣ２０のランディングページへの遷移の契機となる利用者の操作や端末装置１００の状態等を示す情報が含まれている。なお、上述した表示指示は、例えば、広告主が広告コンテンツを登録する際に、広告主によって任意の設定が行われる。また、動画像Ｃ３０が広告配信サーバ２０以外のサーバから端末装置１００へと配信される場合、表示指示には、動画像Ｃ３０にアクセスするためのＵＲＬ等が含まれる。
【００７５】
「インプレッション数」は、広告コンテンツが表示された回数を示す。また、「インプレッション保証数」は、対価に対して保証されている広告コンテンツの表示回数を示す。また、「対価」は、「インプレション保証数」だけ広告コンテンツが表示された際に広告主から支払われる報酬を示す。すなわち、広告配信サーバ２０は、広告に係るコンテンツをインプレッション保証型で配信するサーバである。
【００７６】
すなわち、図５では、広告主ＩＤ「Ｂ１０」によって識別される広告主が、コンテンツＣ２０を広告コンテンツとして入稿した例を示している。また、図４では、広告コンテンツ「Ｃ２０」のインプレッション数が「１００００」であり、インプレッション保証数が「２００００」であり、インプレッション保証数だけコンテンツ「Ｃ２０」が表示された際の課金額が「ａａａ」である例を示している。ここで、広告配信サーバ２０は、画像Ｃ２１〜Ｃ２５とにインプレッション数を計数してもよい。
【００７７】
なお、広告コンテンツが選択される度に課金が行われるクリック課金形式で広告に係るコンテンツを配信する場合は広告データベース２４には、コンテンツが選択された回数や、コンテンツが選択された際の課金額等が登録される。また、配信要求を受信した際に、入札形式で広告コンテンツを選択し、選択した広告コンテンツを配信する場合は、広告データベース２４には、１インプレッションあたりの報酬として広告主が設定した広告料金である入札価格や、ＣＴＲ等が登録される。
【００７８】
図４に戻って、説明を続ける。制御部２３は、例えば、ＣＰＵ（Central  Processing  Unit）やＭＰＵ（Micro  Processing  Unit）等によって、広告配信サーバ２０内部の記憶装置に記憶されている各種プログラムがＲＡＭを作業領域として実行されることにより実現される。また、制御部２３は、例えば、ＡＳＩＣ（Application  Specific  Integrated  Circuit）やＦＰＧＡ（Field  Programmable  Gate  Array）等の集積回路により実現される。
【００７９】
図４に示すように、制御部２３は、入稿受付部２５と、要求受付部２６と、広告選択部２７と、配信部２８とを有し、以下に説明する情報処理の機能や作用を実現または実行する。なお、制御部２３の内部構成は、図４に示した構成に限られず、後述する情報処理を行う構成であれば他の構成であってもよい。また、制御部２３が有する各処理部の接続関係は、図４に示した接続関係に限られず、他の接続関係であってもよい。
【００８０】
入稿受付部２５は、広告主端末１０から広告コンテンツの入稿を受け付ける。具体的には、入稿受付部２５は、対価の指定とともに広告コンテンツの入稿を受け付ける。また、入稿受付部２５は、コンテンツＣ２０と表示指示とを受付ける。かかる場合、入稿受付部２５は、コンテンツＣ２０および表示指示を、広告主ＩＤと、受付けた対価の値とともに広告データベース２４に登録する。
【００８１】
ここで、入稿受付部２５は、動画像Ｃ３０のうちどのフレームをコンテンツＣ２０として表示するかを広告主から受付けてもよい。例えば、入稿受付部２５は、動画像Ｃ３０を受付けるとともに、動画像Ｃ３０のうち、先頭のフレーム、３０秒目のフレーム、１分目のフレーム、１分３０秒目のフレーム、２分目のフレームをコンテンツＣ２０として表示する旨の指定を広告主端末１０から受信する。
【００８２】
かかる場合、入稿受付部２５は、動画像Ｃ３０から先頭のフレーム、３０秒目のフレーム、１分目のフレーム、１分３０秒目のフレーム、および２分目のフレームを抽出し、抽出したフレームを画像Ｃ２１〜Ｃ２５として含むコンテンツＣ２０を生成する。また、入稿受付部２５は、各画像Ｃ２１〜Ｃ２５を選択した際の再生位置を示す表示指示を生成し、動画像Ｃ３０、コンテンツＣ２０および表示指示を広告データベース２４に登録してもよい。
【００８３】
なお、入稿受付部２５は、広告主によってあらかじめ作成されたコンテンツＣ２０の入稿を受付けてもよい。また、入稿受付部２５は、単一の画像であるコンテンツＣ２０の入稿を受付けるとともに、利用者が選択した位置に応じて異なる再生位置から動画像Ｃ３０を再生させるための表示指示を受付けてもよい。
【００８４】
要求受付部２６は、端末装置１００から広告コンテンツの取得要求を受け付ける。例えば、要求受付部２６は、広告コンテンツの取得要求として、ＨＴＴＰリクエストを受け付ける。
【００８５】
広告選択部２７は、要求受付部２６によって広告コンテンツの取得要求が受け付けられた場合に、配信候補の広告コンテンツを広告データベース２４から選択する。例えば、広告選択部２７は、端末装置１００の位置や利用者の属性に基づいて、広告データベース２４に登録されている広告コンテンツから配信対象となる広告コンテンツのマッチングを行う。かかるマッチングにおいては、インプレッション数が、インプレッション保証数よりも多くなるように、広告コンテンツの選択が行われる。例えば、広告選択部２７は、インプレッション保証数とインプレッション数との差が最も大きい広告コンテンツを優先して選択する。なお、広告選択部２７は、入札価格またはＣＴＲが高い広告コンテンツや、入札価格およびＣＴＲの双方が高い広告コンテンツが優先的に選択されてもよい。そして、広告選択部２７は、配信対象として選択された広告コンテンツを配信部２８に出力する。
【００８６】
なお、広告選択部２７は、ウェブページが検索ページである場合には、検索ページに指定された検索キーワードとマッチする広告コンテンツを抽出する検索連動型広告と呼ばれる広告配信手法を用いてもよい。また、広告選択部２７は、利用者の属性情報（サイコグラフィック属性、デモグラフィック属性など）とマッチする広告コンテンツを抽出するターゲティング配信と呼ばれる広告配信手法を用いてもよい。
【００８７】
配信部２８は、広告選択部２７が選択した広告コンテンツとともに、端末装置１００に対して制御情報を配信する。具体的には、配信部２８は、広告選択部２７が選択した広告コンテンツを受信すると、受信した広告コンテンツに含まれる表示指示を抽出する。そして、配信部２８は、抽出した表示指示が示す内容の表示処理を端末装置１００に実行させるための制御情報を生成する。その後、配信部２８は、生成した制御情報と、広告コンテンツとを端末装置１００に対して配信する。
【００８８】
〔５．コンテンツ配信サーバの構成〕
次に、図６を用いて、実施形態に係るコンテンツ配信サーバ３０の構成について説明する。図６は、実施形態に係るコンテンツ配信サーバの構成例を示す図である。図６に示すように、コンテンツ配信サーバ３０は、通信部３１と、コンテンツ記憶部３２と、制御部３３とを有する。
【００８９】
通信部３１は、例えば、ＮＩＣ等によって実現される。そして、通信部３１は、ネットワークＮと有線または無線で接続され、端末装置１００や広告配信サーバ２０との間で情報の送受信を行う。
【００９０】
コンテンツ記憶部３２は、例えば、ＲＡＭ、フラッシュメモリ等の半導体メモリ素子、または、ハードディスク、光ディスク等の記憶装置によって実現される。そして、コンテンツ記憶部３２は、コンテンツの一例であるウェブページを記憶する。例えば、コンテンツ記憶部３２は、ウェブページを形成するＨＴＭＬファイルや、ウェブページに表示される静止画像や動画像を記憶する。
【００９１】
制御部３３は、例えば、ＣＰＵやＭＰＵ等によって、コンテンツ配信サーバ３０内部の記憶装置に記憶されている各種プログラム（配信プログラムの一例に相当）がＲＡＭを作業領域として実行されることにより実現される。また、制御部３３は、例えば、ＡＳＩＣやＦＰＧＡ等の集積回路により実現される。
【００９２】
図６に示すように、制御部３３は、受付部３４と、配信部３５とを有し、以下に説明する情報処理の機能や作用を実現または実行する。なお、制御部３３の内部構成は、図６に示した構成に限られず、後述する情報処理を行う構成であれば他の構成であってもよい。また、制御部３３が有する各処理部の接続関係は、図６に示した接続関係に限られず、他の接続関係であってもよい。
【００９３】
受付部３４は、端末装置１００からウェブページの取得要求を受け付ける。例えば、受付部３４は、ウェブページの取得要求として、ＨＴＴＰリクエストを受け付ける。
【００９４】
配信部３５は、受付部３４によってウェブページの取得要求が受け付けられた場合に、ウェブページを端末装置１００に配信する。具体的には、配信部３５は、コンテンツ記憶部３２から取得要求対象のウェブページを取得し、取得したウェブページを端末装置１００に配信する。
【００９５】
また、配信部３５は、ウェブページＣ１０を生成し、生成したウェブページＣ１０を端末装置１００に配信する。かかる場合、端末装置１００は、ウェブページＣ１０を受信すると、広告配信サーバ２０に対して広告の配信要求を送信し、応答として受信した広告コンテンツを表示する。そして、端末装置１００は、利用者の操作に応じて、広告コンテンツを変更する表示処理を実行する。
【００９６】
なお、配信部３５は、ウェブページＣ１０の上端に表示領域Ｃ１１を配置した結合コンテンツを端末装置１００に配信してもよい。例えば、配信部３５は、ウェブページＣ１０と共に表示される広告コンテンツとして、コンテンツＣ２０が指定されている場合等には、コンテンツＣ２０が有する画像Ｃ２１と同じ表示サイズの表示領域Ｃ１１をウェブページＣ１０の上端に配置若しくは挿入した結合コンテンツを生成し、生成した結合コンテンツを端末装置１００に配信してもよい。
【００９７】
〔６．端末装置の構成〕
次に、図７を用いて、実施形態に係る端末装置１００の構成について説明する。図７は、実施形態に係る端末装置の構成例を示す図である。図７に示すように、端末装置１００は、通信部１１０と、入力部１２０と、出力部１３０と、物理センサ１４０と、制御部１５０とを有する。
【００９８】
通信部１１０は、例えば、ＮＩＣ等によって実現される。そして、通信部１１０は、ネットワークＮと有線または無線で接続され、広告配信サーバ２０やコンテンツ配信サーバ３０との間で情報の送受信を行う。
【００９９】
入力部１２０は、利用者から各種操作を受け付ける入力装置である。例えば、入力部１２０は、キーボードやマウスや操作キー等によって実現される。出力部１３０は、各種情報を表示するための表示装置である。例えば、出力部１３０は、液晶ディスプレイ等によって実現される。なお、端末装置１００にタッチパネルが採用される場合には、入力部１２０と出力部１３０とは一体化される。また、以下の説明では、出力部１３０を画面と記載する場合がある。
【０１００】
物理センサ１４０は、端末装置１００の物理的な状態を検知するセンサである。例えば、物理センサ１４０は、端末装置１００の３軸方向の傾きを測定するジャイロセンサである。なお、物理センサ１４０は、ジャイロセンサに限定されるものではなく、例えば、加速度センサ、温度センサ、音量センサ、明度センサ等、任意のセンサが適用可能である。
【０１０１】
制御部１５０は、例えば、ＣＰＵやＭＰＵ等によって、端末装置１００内部の記憶装置に記憶されている各種プログラム（表示プログラムの一例に相当）がＲＡＭを作業領域として実行されることにより実現される。例えば、この各種プログラムは、ウェブブラウザと呼ばれるアプリケーションプログラムに該当する。また、制御部１５０は、例えば、ＡＳＩＣやＦＰＧＡ等の集積回路により実現される。
【０１０２】
図７に示すように、制御部１５０は、要求部１５１、操作制御部１５２、表示制御部１５３を有し、以下に説明する情報処理の機能や作用を実現または実行する。なお、制御部１５０の内部構成は、図７に示した構成に限られず、後述する情報処理を行う構成であれば他の構成であってもよい。また、制御部１５０が有する各処理部の接続関係は、図７に示した接続関係に限られず、他の接続関係であってもよい。
【０１０３】
要求部１５１は、操作制御部１５２からウェブページＣ１０のＵＲＬを受信した場合は、コンテンツ配信サーバ３０に対して受信したＵＲＬが示すウェブページＣ１０の取得要求を送信する。また、要求部１５１は、コンテンツ配信サーバ３０から受信したウェブページＣ１０に取得命令が含まれる場合に、広告コンテンツの取得要求を広告配信サーバ２０に送信する。
【０１０４】
操作制御部１５２は、入力部１２０を介して受け付けた利用者の操作にしたがって、各種制御を実行する。例えば、操作制御部１５２は、利用者が入力部１２０に対してウェブページＣ１０の表示操作を行った場合は、表示対象となるウェブページＣ１０のＵＲＬを要求部１５１に出力する。また、操作制御部１５２は、入力部１２０を介して受け付けたスクロール操作やタップ操作等、利用者の操作の内容を表示制御部１５３に出力する。
【０１０５】
表示制御部１５３は、受信したウェブページおよび広告コンテンツを出力部１３０に表示し、上述した表示処理を実行する。例えば、表示制御部１５３は、制御部１５０が、広告コンテンツとともに配信される制御情報を実行することで、図７に示すように、表示部１５４、再生部１５５、変更部１５６として動作し、表示処理を実行する。表示部１５４、再生部１５５、変更部１５６は、例えば、ＣＰＵやＭＰＵ等によって、制御情報がＲＡＭを作業領域として実行されることにより実現される。
【０１０６】
表示部１５４は、所定の表示領域Ｃ１１のうち画面上に表示される範囲である表示範囲にコンテンツＣ２０を配置して表示する。例えば、表示部１５４は、ウェブページＣ１０とコンテンツＣ２０との配信を受付けると、縦方向の表示サイズがコンテンツＣ２０と等しく、横方向の表示サイズが画面横方向の表示サイズと等しい表示領域Ｃ１１をウェブページＣ１０の上端に配置した結合コンテンツを表示する。なお、表示部１５４は、結合コンテンツの配信を受付けた場合は、結合コンテンツを画面上に表示してもよい。この結果、表示部１５４は、画面上端に表示領域Ｃ１１を配置し、表示領域Ｃ１１の下端とウェブページＣ１１の上端とが接する位置にウェブページＣ１０を配置した状態で、ウェブページＣ１０と表示領域Ｃ１１とを表示する。
【０１０７】
また、表示部１５４は、表示領域Ｃ１１のうち、画面内に表示される表示範囲に、コンテンツＣ２０のうち少なくとも一部を配置して表示する。より具体的には、表示部１５４は、初期表示において、コンテンツＣ２０に含まれる画像Ｃ２１〜Ｃ２５、すなわち、動画像Ｃ３０のそれぞれ異なる再生位置のフレームを画面横方向に並べたコンテンツＣ２０のうち、画像Ｃ２１が配置された領域を表示する。また、表示部１５４は、画面のうちコンテンツＣ２０が表示された範囲で、利用者の指Ｆ１０が横スクロール操作を行った場合は、かかる操作に従って、コンテンツＣ２０のうち表示される範囲を変更する。例えば、表示部１５４は、利用者が画面左方向にスクロール操作を行った場合は、コンテンツＣ２０を画面左方向にスクロールさせることで、画像Ｃ２１が配置された領域から画像Ｃ２２が配置された領域へと、コンテンツＣ２０のうち表示される範囲を変更する。
【０１０８】
また、表示部１５４は、利用者の操作に従って、結合コンテンツのスクロールを行うとともに、変更部１５６からの指示に従って、コンテンツＣ２０の縮尺を変更することで、コンテンツＣ２０のうち表示される範囲の縦横比を変更する。
【０１０９】
再生部１５５は、利用者がコンテンツＣ２０を選択した際に、コンテンツＣ２０に対応する動画像Ｃ３０のデータを取得し、取得した動画像Ｃ３０の再生を行う。例えば、再生部１５５は、表示領域Ｃ１１のうち画面内に表示される表示範囲を利用者がタップした場合は、表示範囲内に表示されたコンテンツＣ２０に含まれる画像Ｃ２１〜Ｃ２５のうち、利用者がタップした位置に表示されている画像を特定する。
【０１１０】
そして、再生部１５５は、動画像Ｃ３０のうち、特定した画像が示す再生位置よりも後のデータを広告配信サーバ２０から取得し、取得した動画像Ｃ３０を表示して再生する。例えば、再生部１５５は、利用者がタップした位置に表示されている画像が画像Ｃ２１である場合は、先頭のフレームから動画像Ｃ３０の再生を開始し、利用者がタップした位置に表示されている画像が画像Ｃ２２である場合は、先頭から３０秒目に表示されるフレームから、動画像Ｃ３０の再生を開始する。
【０１１１】
なお、再生部１５５は、コンテンツＣ２０とともに動画像Ｃ３０が配信されている場合は、配信された動画像Ｃ３０のうち、利用者が選択した画像と対応する再生位置から再生を開始してもよい。また、再生部１５５は、利用者がコンテンツＣ２０を選択した際に、広告配信サーバ２０から動画像Ｃ３０の全データを取得し、利用者が選択した画像と対応する再生位置から再生を開始してもよい。
【０１１２】
変更部１５６は、表示領域Ｃ１１のうち画面内に表示される表示範囲の大きさに応じて、コンテンツＣ２０の縦横比を保ったまま縮尺を変更することで、コンテンツＣ２０のうち表示範囲内に表示される範囲の縦横比を変更する。すなわち、変更部１５６は、ウェブページＣ１０のスクロール操作に基づいて、ウェブページＣ１０のうち画面上に表示される範囲の大きさを変更するとともに、表示領域Ｃ１１の大きさを変更する。より具体的には、変更部１５６は、ウェブページＣ１０のスクロール操作に基づいて、コンテンツＣ２０の縮尺と、表示範囲内に表示される範囲の縦横比とを変更し、変更後の表示範囲の大きさに応じて、コンテンツＣ２０全体の縮尺を変更することで、コンテンツＣ２０のうち表示領域内（すなわち、画面内）に表示される範囲の広さを変更する。
【０１１３】
例えば、変更部１５６は、上スクロール操作や下スクロール操作が行われた結果、表示領域Ｃ１１のうち表示される表示範囲の大きさが変化した場合は、変化後の表示範囲の表示サイズを特定する。そして、変更部１５６は、縦方向の表示サイズが、特定した表示範囲の縦方向の表示サイズと同一になるように、コンテンツＣ２０全体の縮尺を変更するとともに、コンテンツＣ２０の左端を表示範囲の左端に合わせて配置する。すなわち、変更部１５６は、コンテンツＣ２０のうち、表示範囲内に表示される範囲の縦横比を、表示範囲の縦横比に合わせる。
【０１１４】
上述した処理の結果、変更部１５６は、ウェブページＣ１０のスクロール操作の結果、表示範囲の大きさが変化すると、変化後の大きさに応じて、コンテンツＣ２０全体の縮尺と、コンテンツＣ２０のうち表示範囲内に表示される範囲の縦横比とを変更することとなる。例えば、変更部１５６は、上スクロール操作の結果、表示範囲の広さが狭まった場合は、コンテンツＣ２０全体の縦横比を保ったまま、その表示サイズを縮小することで、コンテンツＣ２０のうち画面上に表示される範囲を拡大する。また、変更部１５６は、下スクロール操作の結果、表示範囲の広さが広がった場合は、コンテンツＣ２０全体の縦横比を保ったまま、その表示サイズを拡大することで、コンテンツＣ２０のうち画面上に表示される範囲を縮小する。
【０１１５】
次に、図８を用いて、端末装置１００が表示範囲の広さに応じて、コンテンツＣ２０のうち表示される範囲の縦横比を変更する処理の一例について説明する。図８は、実施形態にかかる端末装置がコンテンツを表示する態様の一例を示す図である。なお、図８に示す例では、表示領域Ｃ１１のうち画面上に表示される表示範囲の大きさに応じて、コンテンツＣ２０のうち表示される範囲の縦横比を変更する処理を第１状態〜第３状態に分けて記載した。
【０１１６】
例えば、端末装置１００は、第１状態に示すように、初期表示として、表示領域Ｃ１１の全体を画面内（出力部１３０内）に表示する。このため、端末装置１００は、コンテンツＣ２０のうち、画像Ｃ２１が配置された領域を、表示領域Ｃ１１内に配置して表示する。より具体的には、端末装置１００は、コンテンツＣ２０のうち、表示領域Ｃ１１と同じ縦横比の範囲を画面内に表示する。
【０１１７】
続いて、端末装置１００は、上スクロール操作が行われた場合は、第２状態に示すように、表示領域Ｃ１１を画面上方向に移動させる。この結果、表示領域Ｃ１１のうち画面内に表示される表示範囲は、広さが狭まるとともに、より横長の形状となる。そこで、端末装置１００は、コンテンツＣ２０の縦方向の表示サイズが、表示範囲の縦方向の表示サイズと同一になる様に、コンテンツＣ２０全体の縦横比を変更することなく、その表示サイズを縮小する。この結果、端末装置１００は、コンテンツＣ２０のうち表示される範囲の縦横比を、より横長の縦横比に変更する。例えば、端末装置１００は、第２状態に示すように、コンテンツＣ２０のうち画像Ｃ２１および画像Ｃ２２が配置された範囲を画面内に表示することとなる。
【０１１８】
また、端末装置１００は、さらに上スクロール操作が行われた場合は、第３状態に示すように、表示領域Ｃ１１を画面上方向へとさらに移動させる。この結果、表示領域Ｃ１１のうち画面内に表示される表示範囲は、広さが狭まるとともに、より横長の形状となる。そこで、端末装置１００は、コンテンツＣ２０の表示サイズをさらに縮小させることで、コンテンツＣ２０のうち表示される範囲の縦横比をより横長の縦横比に変更する。この結果、例えば、端末装置１００は、第３状態に示すように、コンテンツＣ２０のうち画像Ｃ２１〜Ｃ２４が配置された範囲を画面内に表示することとなる。
【０１１９】
〔７．表示処理のバリエーション〕
上記では、図１、図２に例示した表示態様を用いながら、端末装置１００による表示処理および再生処理の一例について説明した。しかしながら、実施形態は、これに限定されるものではない。以下、端末装置１００が実行する表示処理および再生処理のバリエーションについて説明する。なお、以下に説明する表示処理は、例えば表示部１５４、再生部１５５、変更部１５６が発揮する処理により実現されるが、実施形態は、これに限定されるものではない。
【０１２０】
〔８−１．コンテンツＣ２０のスクロールについて〕
上述した端末装置１００は、コンテンツＣ２０に対するスクロール操作を受付けてもよい。例えば、端末装置１００は、コンテンツＣ２０が表示されている領域で、横方向のスクロール操作が行われた場合は、かかるスクロール操作に応じて、コンテンツＣ２０を画面横方向に移動させてもよい。
【０１２１】
〔８−２．コンテンツＣ２０について〕
上述した端末装置１００は、動画像Ｃ３０に含まれるフレームであって、それぞれ異なる再生位置のフレームの画像Ｃ２１〜Ｃ２５を含むコンテンツＣ２０を表示した。しかしながら、実施形態は、これに限定されるものではない。例えば、端末装置１００は、風景や複数の人物を撮影したパノラマ写真等縦横比が横方向に長い単一の画像をコンテンツＣ２０として表示してもよい。このような画像をコンテンツＣ２０として表示した場合、端末装置１００は、初期表示においてコンテンツＣ２０の一部を表示し、スクロール操作に従って、コンテンツＣ２０の表示サイズを縮小するとともに、コンテンツＣ２０のうち表示される範囲を拡大してもよい。
【０１２２】
例えば、図９は、実施形態にかかる端末装置が実行する表示装置のバリエーションを示す図である。なお、以下の説明では、１つのパノラマ画像をコンテンツＣ２０として表示する処理を第１状態〜第６状態に分けて説明する。
【０１２３】
まず、端末装置１００は、ウェブページＣ１０と、コンテンツＣ２０との配信を受付けると、初期表示として、第１状態に示すようにコンテンツＣ２０の中心の範囲とウェブページＣ１０とを並べて表示する。続いて、端末装置１００は、利用者の指Ｆ１０がウェブページＣ１０上で上スクロール操作を行った場合は、結合コンテンツを画面上方向にスクロールさせる結果、第２状態に示すように、コンテンツＣ２０の表示サイズを縮小するとともに、コンテンツＣ２０の中心を表示領域Ｃ１１の表示範囲の中心に合わせたまま、コンテンツＣ２０のうち表示される範囲を拡大する。具体的には、端末装置１００は、コンテンツＣ２０のうち、表示される範囲を、表示領域Ｃ１１の表示範囲と同じ縦横比の範囲にまで拡大する。
【０１２４】
また、端末装置１００は、さらに上スクロール操作が行われた場合は、第３状態に示すように、コンテンツＣ２０全体の表示サイズをさらに縮小することで、コンテンツＣ２０のうち表示される範囲をさらに拡大する。そして、端末装置１００は、さらに上スクロール操作がおこなわれた場合は、第４状態に示すように、コンテンツＣ２０全体の表示サイズをさらに縮小することで、コンテンツＣ２０の全体を表示範囲内に表示する。
【０１２５】
そして、端末装置１００は、さらに上スクロール操作が行われた場合は、第５状態に示すように、ウェブページＣ１０と表示領域Ｃ１１とコンテンツＣ２０とを画面上方向に移動させる。そして、端末装置１００は、さらに上スクロール操作が行われた場合は、第６状態に示すように、表示領域Ｃ１１とコンテンツＣ２０とを画面外まで移動させる結果、画面全体にウェブページＣ１０を表示する。
【０１２６】
〔８−３．動画像を含むコンテンツについて〕
また、端末装置１００は、画像Ｃ２１〜Ｃ２５に代えて、ＧＩＦ動画等（Graphics  Interchange  Format）等の動画像を含むコンテンツＣ２０を表示してもよい。例えば、端末装置１００は、画像Ｃ２２の代わりに、動画像Ｃ３０のうち画像Ｃ２２が示す再生位置から数秒程度の範囲を示すＧＩＦ動画が配置されたコンテンツＣ２０を表示してもよい。また、端末装置１００は、スクロール操作が行われている間や、ＧＩＦ動画のうち所定の範囲が画面内に表示されている際に、ＧＩＦ動画の再生を行ってもよい。
【０１２７】
また、端末装置１００は、利用者がコンテンツＣ２０を選択した場合には、動画像Ｃ３０を再生するのではなく、所定のランディングページを表示してもよい。また、端末装置１００は、コンテンツＣ２０に含まれる画像のうち、画像Ｃ２１を選択した場合は、対応するランディングページに遷移し、他の画像Ｃ２２〜Ｃ２５を選択した場合は、選択された画像が示す再生位置から動画像を再生してもよい。
【０１２８】
また、端末装置１００は、横スクロール操作により、コンテンツＣ２０の全体が表示された場合は、コンテンツＣ２０と対応するランディングページに遷移してもよい。また、端末装置１００は、コンテンツＣ２０のうち、利用者が選択した位置に応じて、異なるランディングページに遷移してもよい。また、端末装置１００は、コンテンツＣ２０のうち表示されている範囲に応じて、異なるランディングページに遷移してもよい。
【０１２９】
また、端末装置１００は、コンテンツＣ２０のうち表示されている範囲に応じて、動画像Ｃ３０のうち異なる再生位置から再生を開始してもよい。例えば、端末装置１００は、画像Ｃ２１が表示されている際にコンテンツＣ２０が選択された場合は、動画像Ｃ３０の先頭から再生を行い、画像Ｃ２１と画像Ｃ２２とが表示されている際にコンテンツＣ２０が選択された場合は、動画像Ｃ３０のうち、画像Ｃ２２が示す再生位置から再生を行ってもよい。
【０１３０】
〔８−４．コンテンツＣ２０の移動について〕
上述した例では、端末装置１００は、コンテンツＣ２０の左端を表示範囲の左端と接する位置に表示させたまま、コンテンツＣ２０の縮尺を変更した。しかしながら、実施形態は、これに限定されるものではない。例えば、端末装置１００は、コンテンツＣ２０の表示サイズを縮小させるに従って、コンテンツＣ２０の中心位置が、表示範囲の中心位置に近づくように、コンテンツＣ２０のうち表示される範囲を移動させてもよい。また、端末装置１００は、初期表示においては、コンテンツＣ２０のうち中心部分を表示し、上スクロール操作に従って、コンテンツＣ２０のうち画面内に表示される範囲を拡大してもよい。
【０１３１】
〔８−５．ウェブページＣ１０の下端での表示について〕
上述した説明では、端末装置１００は、ウェブページＣ１０の上端に表示領域Ｃ１１を配置し、表示領域Ｃ１１のうち画面内に表示される表示範囲にコンテンツＣ２０を配置して表示した。すなわち、端末装置１００は、画面上端にコンテンツＣ２０を配置し、スクロール操作に従って、コンテンツＣ２０のうち表示される範囲の縦横比を変更した。しかしながら、実施形態は、これに限定されるものではない。例えば、端末装置１００は、画面の下端にコンテンツＣ２０を配置して表示し、スクロール操作に従って、コンテンツＣ２０のうち表示される範囲の縦横比を変更してもよい。
【０１３２】
例えば、図１０は、実施形態にかかる端末装置が画面の下端にコンテンツを配置して表示する際の処理の一例を示す図である。なお、以下の説明では、コンテンツＣ２０を画面の下端に配置した際に実行する表示処理のを第１状態〜第６状態に分けて説明する。
【０１３３】
まず、端末装置１００は、ウェブページＣ１０と、コンテンツＣ２０との配信を受付ける。かかる場合、端末装置１００は、ウェブページＣ１０の下端と表示領域Ｃ１２の上端とが接するように配置した結合コンテンツ、すなわち、ウェブページＣ１０の下端に表示領域Ｃ１２を配置した結合コンテンツを生成し、結合コンテンツの上端を画面の上端と接するように配置する。この結果、端末装置１００は、第１状態に示すように、初期表示において、ウェブページＣ１０のみを表示することとなる。
【０１３４】
ここで、端末装置１００は、利用者の指Ｆ１０がウェブページＣ１０上で上スクロール操作を行った場合は、上スクロール操作に従って、ウェブページＣ１０と表示領域Ｃ１２とを画面上方向にスクロールさせる。この結果、端末装置１００は、第２状態に示すように、ウェブページＣ１０の下端、すなわち、表示領域Ｃ１２の上端が表示されるまでは、ウェブページＣ１０のみを画面に表示し続ける。
【０１３５】
続いて、端末装置１００は、上スクロール操作が行われた結果、表示領域Ｃ１２の一部が画面内に表示された場合は、表示領域Ｃ１２のうち表示された範囲である表示範囲に、コンテンツＣ２０を表示する。より具体的には、端末装置１００は、第３状態に示すように、コンテンツＣ２０の縮尺を、コンテンツＣ２０の横方向の表示サイズが画面の横幅と同じ大きさになるように縮小した状態で、コンテンツＣ２０を表示範囲に配置して表示する。そして、端末装置１００は、上スクロール操作がさらに行われた場合は、第４状態に示すように、ウェブページＣ１０と表示領域Ｃ１２とコンテンツＣ２０とをスクロール操作に従って画面下方向から画面上方向へとスクロールさせる。
【０１３６】
また、端末装置１００は、第４状態に示すように、コンテンツＣ２０の全体が表示された際に、上スクロール操作が行われた場合は、表示範囲の拡大に従い、コンテンツＣ２０の表示サイズを拡大するとともに、コンテンツＣ２０のうち表示される領域の縦横比を変更する。より具体的には、端末装置１００は、第５状態に示すように、コンテンツＣ２０の表示サイズを拡大しつつ、画面内に表示される領域を狭める。そして、端末装置１００は、さらに上スクロール操作が行われ、表示領域Ｃ１２の全体が画面内に表示された場合は、第６状態に示すように、コンテンツＣ２０の表示サイズをさらに拡大することで、コンテンツＣ２０のうち画像Ｃ２１が配置された領域のみを表示する。
【０１３７】
また、図１に示した表示処理と同様、端末装置１００は、下スクロール操作が行われた結果、表示領域Ｃ１２のうち画面内に表示される表示範囲の大きさが狭まった場合は、第６状態から第１状態に示すように、コンテンツＣ２０の表示サイズを徐々に縮小することで、コンテンツＣ２０のうち表示範囲内に表示される領域を徐々に狭めることとなる。
【０１３８】
なお、図１０に示す例では、表示領域Ｃ１２をウェブページＣ１０の下端に配置する例について記載したが、実施形態は、これに限定されるものではない。例えば、端末装置１００は、ウェブページＣ１０の上端に表示領域Ｃ１１を配置し、ウェブページＣ１０の下端に表示領域Ｃ１２を配置した結合コンテンツを生成し、表示領域Ｃ１１、Ｃ１２のうち画面内に表示される表示範囲に、コンテンツＣ２０を配置して表示してもよい。このような処理を実行した場合、端末装置１００は、図１に示した表示処理と図１０に示した表示処理とを、同一のウェブページＣ１０に関して実行することとなる。また、端末装置１００は、表示領域Ｃ１１と表示領域Ｃ１２とで、それぞれ異なるコンテンツＣ２０を配置して表示してもよい。
【０１３９】
〔８−６．結合コンテンツについて〕
上述した端末装置１００は、ウェブページＣ１０の上端又は下端に表示領域Ｃ１１、Ｃ１２を配置した結合コンテンツを生成し、表示した。しかしながら、実施形態は、これに限定されるものではない。例えば、端末装置１００は、広告配信サーバ２０やコンテンツ配信サーバ３０から、結合コンテンツを配信を受付けてもよい。
【０１４０】
また、端末装置１００は、ウェブページＣ１０の左側や右側に表示領域を配置してもよい。このような処理を実行した場合、端末装置１００は、画面左端や右端にコンテンツＣ２０を表示することとなるが、かかるコンテンツＣ２０の表示サイズや表示される領域は、右スクロールや左スクロールに従って変更されてもよく、上スクロールや下スクロールに従って変更されてもよい。
【０１４１】
また、端末装置１００は、ウェブページＣ１０の途中に表示領域Ｃ１１を挿入し、かかる表示領域にコンテンツＣ２０を配置して表示してもよい。このような処理を実行した場合、端末装置１００は、ウェブページＣ１０を上スクロールさせるに従って、図１０に示すように、コンテンツＣ２０の表示サイズを徐々に拡大しつつ、コンテンツＣ２０のうち表示される範囲を狭め、その後、図１に示すように、コンテンツＣ２０の表示サイズを徐々に縮小しつつ、コンテンツＣ２０のうち表示される範囲を広げることとなる。
【０１４２】
〔８−７．その他〕
端末装置１００は、上述した任意の処理を適宜組み合わせて、表示処理を実行してもよい。かかる組合せは、広告配信サーバ２０に広告コンテンツを登録する際、表示指示として広告主が任意に設定することができる。そして、広告配信サーバ２０は、広告主が設定した処理の組合せを端末装置１００に実行させる制御情報を生成し、生成した制御情報を端末装置１００に配信する。この結果、端末装置１００は、上述した任意の処理を広告主の設定に応じて組合せ、実行することができる。
【０１４３】
〔９．端末装置１００の処理フロー〕
次に、図１１を用いて、制御情報を実行した端末装置１００が実行する処理の手順について説明する。図１１は、実施形態に係る端末装置が実行する表示処理と再生処理との流れの一例を示すフローチャートである。なお、図１１に示す例では、コンテンツＣ２０等、広告配信サーバ２０から配信されるコンテンツを広告コンテンツとして処理を説明する。
【０１４４】
図１１に示す例では、端末装置１００は、利用者の操作に応じてコンテンツ配信サーバ３０にウェブページＣ１０の配信を要求し、コンテンツ配信サーバ３０からウェブページＣ１０を受信する（ステップＳ１０１）。次に、端末装置１００は、配信されたウェブページＣ１０に取得命令が含まれる場合は、広告配信サーバ２０に対して配信要求を送信する（ステップＳ１０２）。次に、端末装置１００は、広告コンテンツを受信したか否かを判定する（ステップＳ１０３）。そして、端末装置１００は、広告コンテンツを受信していないと判定した場合は（ステップＳ１０３：Ｎｏ）、再度ステップＳ１０３を実行する。
【０１４５】
また、端末装置１００は、広告コンテンツを受信した場合は（ステップＳ１０３：Ｙｅｓ）、広告コンテンツのうち、一部の範囲を表示領域Ｃ１１に配置して表示する（ステップＳ１０４）。また、端末装置１００は、スクロール操作が行われたか否かを判定し（ステップＳ１０５）、スクロール操作が行われていた場合は（ステップＳ１０５：Ｙｅｓ）、スクロール操作に従って、ウェブページＣ１０と表示領域Ｃ１１とを移動させる（ステップＳ１０６）。そして、端末装置１００は、広告コンテンツの縮尺を、表示領域Ｃ１１のうち画面内に表示される表示範囲の大きさいに合わせて変更する（ステップＳ１０７）。例えば、端末装置１００は、コンテンツＣ１０の縦方向の表示サイズが、表示範囲の縦方向の表示サイズと同じ大きさになるように、コンテンツＣ１０全体の表示サイズを縮小若しくは拡大することで、コンテンツＣ１０のうち画面内に表示される領域の縦横比を変更する。
【０１４６】
また、端末装置１００は、広告コンテンツが選択されたか否かを判定し（ステップＳ１０８）、広告コンテンツが選択された場合は（ステップＳ１０８：Ｙｅｓ）、選択された位置に配置された画像が示す再生位置から動画像Ｃ３０を再生する（ステップＳ１０９）。例えば、端末装置１００は、画像Ｃ２１が選択された場合は、動画像Ｃ３０を先頭から再生し、画像Ｃ２２が選択された場合は、動画像Ｃ３０のうち３０秒目のフレームから再生する。
【０１４７】
続いて、端末装置１００は、利用者がリンクをタップした等の処理によりウェブページを遷移させるか否かを判定する（ステップＳ１１０）。そして、端末装置１００は、ウェブページを遷移させる場合は（ステップＳ１１０：Ｙｅｓ）、ウェブページを遷移させ（ステップＳ１１１）、処理を終了する。
【０１４８】
一方、端末装置１００は、ウェブページを遷移させない場合は（ステップＳ１１０：Ｎｏ）、ステップＳ１０５を実行する。また、端末装置１００は、スクロール操作が行われていない場合は（ステップＳ１０５：Ｎｏ）、ステップＳ１０５を再度実行する。また、端末装置１００は、広告コンテンツが選択されていない場合は（ステップＳ１０８：Ｎｏ）、ステップＳ１０９をスキップし、ステップＳ１１０を実行する。
【０１４９】
〔１０．変形例〕
上記では、図１、図２、図９、図１０に例示した表示態様を用いながら、端末装置１００による表示処理の一例について説明した。しかしながら、実施形態は、これに限定されるものではない。以下、端末装置１００が実行する表示処理のバリエーションについて説明する。なお、以下に説明する表示処理は、例えば、表示部１５４、再生部１５５、変更部１５６が実行する処理により実現されるものとする。
【０１５０】
〔１０−１．コンテンツについて〕
上述した例では、端末装置１００が、広告に係るコンテンツＣ２０を表示する例について説明した。しかしながら、実施形態はこれに限定されるものではない。例えば、端末装置１００は、文字列、模様、画像、動画像等を含むコンテンツＣ２０を表示してもよい。例えば、端末装置１００は、初期表示で文字の一部分だけを表示し、コンテンツＣ２０の表示サイズを縮小するに伴って、文字の他の部分が表示されているといった態様のコンテンツＣ２０を表示してもよい。また、端末装置１００は、広告にかかるコンテンツではなく、ゲーム等を含むコンテンツＣ２０を表示してもよく、いわゆるプレイアブル広告を含むコンテンツＣ２０を表示してもよい。また、端末装置１００は、音声を含むコンテンツＣ２０を表示してもよい。なお、コンテンツＣ２０に含まれる文字列、模様、画像、動画像、ゲーム、音声等は、広告に係るものに限定されるものではない。
【０１５１】
また、コンテンツＣ２０は、広告に係るコンテンツに限定されるものではない。例えば、端末装置１００は、ウェブページＣ１０に代えてゲームコンテンツを表示する際、ゲームのメニューやチュートリアル等の補助コンテンツをコンテンツＣ２０として表示してもよい。また、端末装置１００は、ゲームの実行時、フラッシュやＣＳＳ等の技術により作成されたインタラクティブ形式のウェブページの表示を行う際にコンテンツＣ２０を表示して、表示処理を実行してもよい。
【０１５２】
また、端末装置１００は、ＳＮＳ（Social  Networking  Service）のコンテンツ、メッセンジャーアプリケーションの画面、カメラアプリケーションの画面、その他任意のコンテンツとともに、コンテンＣ２０を表示し、上述した表示処理を実行してもよい。また、端末装置１００は、ウェブページＣ１０以外にも、ゲーム、地図、音楽再生画面、動画再生画面等、任意のコンテンツを表示してもよい。
【０１５３】
〔１０−２．制御情報について〕
上記した端末装置１００は、広告配信サーバ２０がコンテンツＣ２０とともに配信する制御情報を用いて、上記した表示処理を実行した。しかしながら、実施形態は、これに限定されるものではない。例えば、端末装置１００は、上記した制御情報をコンテンツ配信サーバ３０からウェブページとともに受信し、広告配信サーバ２０からコンテンツＣ２０とともに制御指示を受信する。そして、端末装置１００は、コンテンツ配信サーバ３０から受信した制御情報を実行するとともに、受信した制御指示に従って表示処理を実行してもよい。
【０１５４】
また、端末装置１００は、ウェブページＣ１０の表示処理や、上述した表示処理および再生処理等を端末装置１００に実行させるアプリケーションをあらかじめダウンロードし、かかるアプリケーションを実行することで、上述した処理を実現してもよい。また、端末装置１００は、表示処理を実行する情報表示プログラムを含むアプリケーションをダウンロードし、かかるアプリケーションのインストールにより、表示処理を実現可能としてもよい。また、端末装置１００は、表示処理を実行する情報表示プログラムの配信を受付けた後に、情報表示プログラムを使用して表示する旨が規定された広告コンテンツを受信すると、配信された情報表示プログラムを実行し、受信した広告コンテンツを表示する際に表示処理を実現してもよい。
【０１５５】
〔１０−３．装置構成〕
また、上記実施形態では、配信システム１に、広告配信サーバ２０とコンテンツ配信サーバ３０とが含まれる例を示したが、広告配信サーバ２０とコンテンツ配信サーバ３０とは１個の装置として形成されてもよい。この場合、図４に示した広告配信サーバ２０は、例えば、図６に示したコンテンツ記憶部３２、受付部３４、配信部３５を有する。そして、広告配信サーバ２０は、端末装置１００からウェブページの取得要求を受け付けた場合に、コンテンツＣ２０とともに、取得命令を含まないウェブページＣ１０を端末装置１００に配信する。また、このような広告配信サーバ２０は、ウェブページＣ１０と表示領域Ｃ１１、Ｃ１２を含む結合コンテンツとコンテンツＣ２０とを端末装置１００に配信してもよい。
【０１５６】
また、上記実施形態では、広告配信サーバ２０から端末装置１００にコンテンツＣ２０が配信される例を示したが、コンテンツ配信サーバ３０が、広告配信サーバ２０からコンテンツＣ２０を取得してもよい。この場合、広告配信サーバ２０の要求受付部２６は、コンテンツ配信サーバ３０からコンテンツＣ２０の取得要求を受け付ける。また、広告配信サーバ２０は、コンテンツ配信サーバ３０にコンテンツＣ２０を配信する。また、コンテンツ配信サーバ３０は、広告配信サーバ２０から取得したコンテンツＣ２０とともに、取得命令を含まないウェブページを端末装置１００に配信する。このようなコンテンツ配信サーバ３０は、ウェブページＣ１０と表示領域Ｃ１１、Ｃ１２を含む結合コンテンツを生成し、生成した結合コンテンツを端末装置１００に配信してもよい。
【０１５７】
〔１０−４．ログについて〕
ここで、端末装置１００は、コンテンツＣ２０が表示されたか否かを示すログや、利用者によって選択されたコンテンツのログを取ってもよい。また、端末装置１００は、コンテンツＣ２０の表示回数や選択回数だけではなく、利用者が各画像Ｃ２１〜Ｃ２５を選択した回数や、各画像Ｃ２１〜Ｃ２５が表示された回数を示すログを取ってもよい。また、端末装置１００は、コンテンツＣ２０にＧＩＦ動画等が含まれる場合は、かかるＧＩＦ動画が再生されたか否かを示すログを取ってもよい。
【０１５８】
また、端末装置１００は、ランディングページが表示されたか否か、どのランディングページが表示されたか、コンテンツＣ２０が選択された際に、コンテンツＣ２０のうちどの範囲が表示されていたか、コンテンツＣ２０のうちどの位置が選択されたか、画像Ｃ２１〜Ｃ２５のうちどの画像が選択されたか、動画像Ｃ３０を再生したが、動画像Ｃ３０をどこから再生したか、動画像Ｃ３０をどこから取得したか等を示すログを取ってもよい。
【０１５９】
例えば、端末装置１００は、利用者がスクロール操作を行わずにウェブページＣ１０の表示を終了した場合は、コンテンツＣ２０が閲覧されていない旨のログや、コンテンツＣ２０のうち表示される範囲の縦横比が変化していない旨のログを取得してもよい。一方で、端末装置１００は、初期画面から利用者が上スクロール操作を行い、コンテンツＣ２０の表示サイズを縮小し、コンテンツＣ２０の全体が表示領域内に表示された場合は、コンテンツＣ２０が表示された旨のログを取得してもよい。
【０１６０】
このように端末装置１００が取得したログは、コンテンツＣ２０のインプレッション数やＣＴＲの更新、コンテンツＣ２０の表示に対する課金処理、および、広告主に広告効果を報告する際等に有用なログとなる。例えば、コンテンツＣ２０の全体が表示されたが
コンテンツＣ２０が選択されなかった場合は、利用者がコンテンツＣ２０に興味を有さなかったものと予測される。また、上スクロール操作と下スクロール操作とが何度も行われた場合や、かかる操作によってコンテンツＣ２０の縮尺が複数回変更された場合等は、コンテンツＣ２０に対して利用者が興味を有し、表示態様を何度も変更したと予測される。
【０１６１】
このため、コンテンツＣ２０の表示態様を変更した旨を示すログや、初期画面からのスクロール操作を示すログ、コンテンツＣ２０の縮尺を変更したか否かを示すログ、コンテンツＣ２０を選択したか否かを示すログ、画像Ｃ２１〜Ｃ２５が表示されたか若しくは選択されたか否かを示すログ、動画像Ｃ３０を再生したか否か若しくは再生開始位置をしめすログ等、上述した表示処理および再生処理の内容を示すログは、利用者の広告に対する認知度を示す指標になりえる。
【０１６２】
そこで、広告配信サーバ２０は、取得された各ログを用いて、インプレッション数の更新や、課金額の変更等を行ってもよい。例えば、広告配信サーバ２０は、コンテンツＣ２０のうち表示された範囲、表示回数、選択回数、選択された画像、動画像Ｃ３０の再生位置や再生回数等に応じて、課金額を変更してもよい。
【０１６３】
また、端末装置１００が取得したログは、ランディングページに配置されるコンテンツの変更に用いられてもよい。例えば、端末装置１００は、利用者がコンテンツＣ２０を選択した場合は、コンテンツＣ２０のうちどの範囲が表示されているか、何回コンテンツＣ２０の縮尺を変更したか、コンテンツＣ２０に含まれる画像Ｃ２１〜Ｃ２５のうちどの画像が選択されたか等に応じて、ランディングページを出しわけてもよい。また、端末装置１００は、同一のランディングページを取得するとともに、かかるランディングページを配信するサーバに対して、取得したログの内容等を通知し、ランディングページに配置するコンテンツを変更させてもよい。例えば、端末装置１００は、画像Ｃ２１が選択された場合は、動画像Ｃ３０を先頭から再生するランディングページを表示し、画像Ｃ２２が選択された場合は、動画像Ｃ３０のうち画像Ｃ２２が示す再生位置から再生するランディングページを表示してもよい。
【０１６４】
〔１０−５．端末装置の操作記録〕
また、上述してきた端末装置１００は、実施形態に係るコンテンツＣ２０が配置されているウェブページに対して、利用者がどれだけ端末装置１００を操作したかという記録を広告配信サーバ２０に送信してもよい。具体的には、端末装置１００は、コンテンツＣ２０が配置された際におけるスクロール操作の内容や回数、利用者の選択操作、利用者がコンテンツＣ２０を選択した位置、選択された際のコンテンツＣ２０の表示態様、コンテンツＣ２０の表示位置等を記録する。
【０１６５】
また、端末装置１００は、コンテンツＣ２０や各画像Ｃ２１〜Ｃ２５の選択回数や、リロードした回数や、コンテンツＣ２０を特定する情報について端末装置１００からの発信操作（例えば、ＳＮＳへの書き込みなど）など、利用者が端末装置１００に対して行う種々の操作を記録することもできる。そして、端末装置１００は、操作履歴に関する情報を広告配信サーバ２０に送信する。
【０１６６】
かかる場合、広告配信サーバ２０は、端末装置１００から配信された操作履歴に関する情報を集計し、かかる情報について分析した情報をさらに取得する。例えば、広告配信サーバ２０は、制御情報とともにコンテンツＣ２０を配信した場合と、配信しなかった場合とについて、スクロール操作の回数や、表示処理を実行した回数、再生処理を実行した回数、再生を開始した再生位置、表示したランディングページの種別やランディングページに配置されたコンテンツの種別、ＣＴＲなどの広告効果の指標を比較した情報などを取得する。
【０１６７】
ここで、制御情報とともにコンテンツＣ２０を配信した際にウェブページＣ１０に対して行われた操作の履歴は、広告効果を示す指標となりうる。すなわち、実施形態に係る制御情報を伴うコンテンツＣ２０が表示されるウェブページＣ１０においては、利用者によってコンテンツＣ２０自体が選択されることによりコンテンツＣ２０の先のウェブページ（ランディングページ）や動画像Ｃ３０が表示されることのみならず、かかるウェブページＣ１０に対して利用者がどれだけ操作を行ったか（つまり、利用者がどれだけ画面の表示態様を変化させたか）という操作履歴自体が利用者のコンテンツＣ２０への興味を示す指標といえる。
【０１６８】
例えば、広告配信サーバ２０は、利用者が初期表示から上スクロール操作を行い、コンテンツＣ２０のうち表示される範囲を変更した回数、コンテンツＣ２０を選択した回数、コンテンツＣ２０を表示した回数、コンテンツＣ２０を表示した時間等を比較することで、実施形態に係る制御情報を伴うコンテンツＣ２０を表示した際に、コンテンツＣ２０が広く伝えようとする情報、すなわち広告に対する関心をどれくらい発生させたかを示す指標を提供することができる。
【０１６９】
したがって、広告配信サーバ２０は、広告主端末１０に端末装置１００の操作履歴に関する情報を送信することにより、実施形態に係るコンテンツＣ２０が表示されるウェブページＣ１０に対する広告効果の指標を示すレポートとすることができる。なお、広告配信サーバ２０は、広告主端末１０に端末装置１００の操作履歴に関する情報やログをそのまま送信してもよい。
【０１７０】
これにより、広告配信サーバ２０は、端末装置１００における実施形態に係る制御情報を伴うコンテンツＣ２０の表示態様の有用性を広告主に示すことができる。
【０１７１】
〔１０−６．その他〕
また、上記実施形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。この他、上記文書中や図面中で示した処理手順、具体的名称、各種のデータやパラメータを含む情報については、特記する場合を除いて任意に変更することができる。例えば、各図に示した各種情報は、図示した情報に限られない。
【０１７２】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。例えば、図７に示した要求部１５１および操作制御部１５２は統合されてもよい。
【０１７３】
また、上記してきた各実施形態は、処理内容を矛盾させない範囲で適宜組み合わせることが可能である。
【０１７４】
〔１０−７．プログラム〕
また、上記してきた実施形態に係る端末装置１００、広告配信サーバ２０およびコンテンツ配信サーバ３０は、例えば、図１２に示すような構成のコンピュータ１０００によって実現される。以下、広告配信サーバ２０を例に挙げて説明する。図１２は、広告配信サーバの機能を実現するコンピュータの一例を示すハードウェア構成図である。コンピュータ１０００は、ＣＰＵ１１００、ＲＡＭ１２００、ＲＯＭ１３００、ＨＤＤ１４００、通信インターフェイス（Ｉ／Ｆ）１５００、入出力インターフェイス（Ｉ／Ｆ）１６００、およびメディアインターフェイス（Ｉ／Ｆ）１７００を有する。
【０１７５】
ＣＰＵ１１００は、ＲＯＭ１３００またはＨＤＤ１４００に格納されたプログラムに基づいて動作し、各部の制御を行う。ＲＯＭ１３００は、コンピュータ１０００の起動時にＣＰＵ１１００によって実行されるブートプログラムや、コンピュータ１０００のハードウェアに依存するプログラム等を格納する。
【０１７６】
ＨＤＤ１４００は、ＣＰＵ１１００によって実行されるプログラム、および、係るプログラムによって使用されるデータ等を格納する。通信インターフェイス１５００は、ネットワークＮを介して他の機器からデータを受信してＣＰＵ１１００へ送り、ＣＰＵ１１００が生成したデータを他の機器へ送信する。
【０１７７】
ＣＰＵ１１００は、入出力インターフェイス１６００を介して、ディスプレイやプリンタ等の出力装置、および、キーボードやマウス等の入力装置を制御する。ＣＰＵ１１００は、入出力インターフェイス１６００を介して、入力装置からデータを取得する。また、ＣＰＵ１１００は、生成したデータを入出力インターフェイス１６００を介して出力装置へ出力する。
【０１７８】
メディアインターフェイス１７００は、記録媒体１８００に格納されたプログラムまたはデータを読み取り、ＲＡＭ１２００を介してＣＰＵ１１００に提供する。ＣＰＵ１１００は、係るプログラムを、メディアインターフェイス１７００を介して記録媒体１８００からＲＡＭ１２００上にロードし、ロードしたプログラムを実行する。記録媒体１８００は、例えばＤＶＤ（Digital  Versatile  Disc）、ＰＤ（Phase  change  rewritable  Disk）等の光学記録媒体、ＭＯ（Magneto-Optical  disk）等の光磁気記録媒体、テープ媒体、磁気記録媒体、または半導体メモリ等である。
【０１７９】
例えば、コンピュータ１０００が実施形態に係る広告配信サーバ２０として機能する場合、コンピュータ１０００のＣＰＵ１１００は、ＲＡＭ１２００上にロードされたプログラムを実行することにより、制御部２３の機能を実現する。また、ＨＤＤ１４００には、記憶部２２内のデータ、すなわち広告データベース２４が格納される。コンピュータ１０００のＣＰＵ１１００は、これらのプログラムを記録媒体１８００から読み取って実行するが、他の例として、他の装置からこれらのプログラムを取得してもよい。
【０１８０】
なお、コンピュータ１０００が実施形態に係る端末装置１００として機能する場合、コンピュータ１０００のＣＰＵ１１００は、ＲＡＭ１２００上にロードされたプログラムを実行することにより、制御部１５０の機能を実現する。
【０１８１】
なお、コンピュータ１０００が実施形態に係るコンテンツ配信サーバ３０として機能する場合、コンピュータ１０００のＣＰＵ１１００は、ＲＡＭ１２００上にロードされたプログラムを実行することにより、制御部３３の機能を実現する。また、ＨＤＤ１４００には、コンテンツ記憶部３２内のデータが格納される。
【０１８２】
〔１１．効果〕
上述したように、端末装置１００は、所定の表示領域Ｃ１１のうち画面上に表示される範囲である表示範囲にコンテンツＣ２０を配置して表示する。そして、端末装置１００は、表示範囲の大きさに応じて、コンテンツＣ２０の縦横比を保ったままコンテンツＣ２０の縮尺を変更することで、コンテンツＣ２０のうち表示範囲内に表示される範囲の縦横比を変更する。
【０１８３】
この結果、端末装置１００は、スクロール操作に従って、コンテンツＣ２０を単純に画面外へと移動させるのではなく、コンテンツＣ２０の表示サイズを縮小するとともにコンテンツＣ２０のうち隠されていた領域が徐々に表示されるといった態様で、コンテンツＣ２０を表示することができる。この結果、端末装置１００は、コンテンツＣ２０に対する気づきや興味を生じさせることができるので、コンテンツＣ２０に係る情報の訴求効果を向上させることができる。
【０１８４】
また、端末装置１００は、コンテンツＣ２０のうち表示範囲内に表示される範囲の縦横比を、表示範囲の縦横比に合わせる。また、端末装置１００は、縦方向の表示サイズが、表示範囲の縦方向の表示サイズと同一となる様に、コンテンツＣ２０の縮尺を変更する。このため、端末装置１００は、コンテンツＣ２０を単純に画面外へと移動させるのではなく、コンテンツＣ２０を徐々に縮小させながらも、コンテンツＣ２０の全体が表示されるまで画面内に残り続けるといった表示態様を実現するので、コンテンツＣ２０に係る情報の訴求効果を向上させることができる。
【０１８５】
また、端末装置１００は、利用者の操作により表示範囲の広さが狭まった場合は、コンテンツＣ２０の縦横比を保ったまま表示サイズを縮小することで、コンテンツＣ２０のうち画面上に表示される範囲を拡大する。このため、コンテンツＣ２０の表示サイズを縮小するとともにコンテンツＣ２０のうち隠されていた領域が徐々に表示されるといった態様で、コンテンツＣ２０を表示することができるので、コンテンツＣ２０に係る情報の訴求効果を向上させることができる。
【０１８６】
また、端末装置１００は、利用者の操作により表示範囲の広さが広がった場合は、コンテンツＣ２０の縦横比を保ったまま表示サイズを拡大することで、コンテンツＣ２０のうち画面上に表示される範囲を縮小する。このため、端末装置１００は、コンテンツＣ２０の表示サイズを拡大するとともに、コンテンツＣ２０のうち表示される領域の広さを徐々に狭めるといった態様で、コンテンツＣ２０を表示することができるので、コンテンツＣ２０に対する気づきや興味を生じさせる結果、コンテンツＣ２０に係る情報の訴求効果を向上させることができる。
【０１８７】
また、端末装置１００は、ウェブページＣ１０のスクロール操作に基づいて、コンテンツＣ２０の縮尺と、表示範囲内に表示される範囲の縦横比とを変更する。このため、端末装置１００は、利用者がウェブページＣ１０をスクロールした際に、コンテンツＣ２０の表示態様を変更することで、コンテンツＣ２０に対する気づきや興味を生じさせる結果、コンテンツＣ２０に係る情報の訴求効果を向上させることができる。
【０１８８】
また、端末装置１００は、ウェブページＣ１０のスクロール操作に基づいて、ウェブページＣ１０のうち画面上に表示される範囲の大きさを変更するとともに、表示領域Ｃ１１の大きさを変更する。このため、端末装置１００は、スクロール操作に応じて、画面全体の表示態様を変更するので、コンテンツＣ２０に係る情報の訴求効果を向上させることができる。
【０１８９】
また、端末装置１００は、ウェブページＣ１０のスクロール操作により、表示範囲の大きさが変化した場合は、変化後の大きさに応じて、コンテンツＣ２０の縮尺と、表示範囲内に表示される範囲の縦横比とを変更する。このため、端末装置１００は、コンテンツＣ２０に対する気づきや興味を生じさせる結果、コンテンツＣ２０に係る情報の訴求効果を向上させることができる。
【０１９０】
また、端末装置１００は、表示領域Ｃ１１のうち画面内に表示される範囲にコンテンツＣ２０の一部の領域を配置して表示し、コンテンツＣ２０のスクロール操作が行われた場合は、コンテンツＣ２０をスクロールさせて、コンテンツＣ２０のうち画面内に表示される範囲を変更する。このため、端末装置１００は、コンテンツＣ２０に対する利用者の興味を生じさせることができる。
【０１９１】
また、端末装置１００は、コンテンツＣ２０の左端と表示範囲の左端とを接触させたまま、コンテンツＣ２０の縮尺と、表示範囲内に表示される範囲の縦横比とを変更する。このため、端末装置１００は、コンテンツＣ２０の表示サイズを縮小しつつ、コンテンツＣ２０のうち表示される範囲が画面右方向へと広がっていくといった態様で、コンテンツＣ２０を表示することができるので、コンテンツＣ２０に対する気づきや興味を生じさせることができる。
【０１９２】
また、端末装置１００は、表示範囲が狭まった場合は、コンテンツＣ２０の中心を表示範囲の中心の方向へ徐々に移動させながら、コンテンツＣ２０の縮尺と表示範囲内に表示される範囲の縦横比とを変更する。このため、端末装置１００は、コンテンツＣ２０の表示サイズを縮小しつつ、コンテンツＣ２０の全体像が明らかになっていくといった態様で、コンテンツＣ２０を表示することができるので、コンテンツＣ２０に対する気づきや興味を生じさせることができる。
【０１９３】
また、端末装置１００は、表示領域Ｃ１１として、横幅が画面の横幅と同じ表示サイズの領域内にコンテンツＣ２０を配置する。このため、端末装置１００は、表示サイズを縮小したコンテンツＣ２０の全体を画面内に表示することができる。
【０１９４】
また、端末装置１００は、画面の上端または下端に、表示領域Ｃ１１、Ｃ１２を配置する。このため、端末装置１００は、上スクロール又は下スクロール操作に応じて、コンテンツＣ２０の縮尺を変更することができる。
【０１９５】
また、端末装置１００は、コンテンツＣ２０として、表示領域Ｃ１１の全体よりも表示サイズが大きいコンテンツを表示する。例えば、端末装置１００は、複数のコンテンツを横方向に並べたコンテンツＣ２０を表示する。このため、端末装置１００は、初期表示ではコンテンツＣ２０の一部を隠し、コンテンツＣ２０の表示サイズを縮小することで、コンテンツＣ２０の全体像が明らかになっていくといった態様を実現できる。
【０１９６】
また、端末装置１００は、コンテンツＣ２０として、それぞれが同じ動画像Ｃ３０の異なるフレームを示す複数の画像Ｃ２１〜Ｃ２５を横方向に並べたコンテンツＣ２０を表示する。このため、端末装置１００は、動画像Ｃ３０の内容を利用者に提示することができるので、動画像Ｃ３０に対する利用者の興味を生じさせることができる。
【０１９７】
また、端末装置１００は、複数の画像Ｃ２１〜Ｃ２５として、利用者によって選択された際に動画像Ｃ３０の対応するフレームから再生を開始する画面に遷移可能な画像Ｃ２１〜Ｃ２５を横方向に並べたコンテンツを表示する。このため、端末装置１００は、動画像Ｃ３０を利用者が興味を有する再生位置から再生させることができるので、動画像Ｃ３０にかかる情報の訴求効果を向上させることができる。
【０１９８】
また、端末装置１００は、コンテンツＣ２０として、ＧＩＦ動画等の動画像を含むコンテンツＣ２０を表示し、コンテンツＣ２０の縮尺を変更するとともに、コンテンツＣ２０に含まれるＧＩＦ画像等の動画像のフレームを変更する。このため、端末装置１００は、コンテンツＣ２０に対する利用者の興味を生じさせることができる。
【０１９９】
以上、本願の実施形態のいくつかを図面に基づいて詳細に説明したが、これらは例示であり、発明の開示の欄に記載の態様を始めとして、当業者の知識に基づいて種々の変形、改良を施した他の形態で本発明を実施することが可能である。
【０２００】
また、上記してきた「部（section、module、unit）」は、「手段」や「回路」などに読み替えることができる。例えば、配信部は、配信手段や配信回路に読み替えることができる。
【符号の説明】
【０２０１】
１  配信システム
１０  広告主端末
２０  広告配信サーバ
２１、３１、１１０  通信部
２２  記憶部
２３、３３、１５０  制御部
２４  広告データベース
２５  入稿受付部
２６  要求受付部
２７  広告選択部
２８  配信部
３０  コンテンツ配信サーバ
３２  コンテンツ記憶部
３４  受付部
３５  配信部
１００  端末装置
１２０  入力部
１３０  出力部
１４０  物理センサ
１５１  要求部
１５２  操作制御部
１５３  表示制御部
１５４  表示部
１５５  再生部
１５６  変更部
【図１】
2017058643.tif 000003
【図２】
2017058643.tif 000004
【図３】
2017058643.tif 000005
【図４】
2017058643.tif 000006
【図５】
2017058643.tif 000007
【図６】
2017058643.tif 000008
【図７】
2017058643.tif 000009
【図８】
2017058643.tif 000010
【図９】
2017058643.tif 000011
【図１０】
2017058643.tif 000012
【図１１】
2017058643.tif 000013
【図１２】
2017058643.tif 000014
【手続補正書】
【提出日】平成28年8月1日(2016.8.1)
【手続補正１】
【補正対象書類名】特許請求の範囲
【補正対象項目名】全文
【補正方法】変更
【補正の内容】
【特許請求の範囲】
【請求項１】
コンピュータに
所定の表示領域のうち画面上に表示される範囲である表示範囲に、横方向の表示サイズが前記表示領域よりも大きい第１コンテンツを配置し、当該第１コンテンツとは異なる第２コンテンツを当該表示領域と並べて配置して、前記第１コンテンツ及び前記第２コンテンツを表示する表示手順と、
利用者の操作により前記表示領域を移動させることで変化した前記表示範囲の大きさに応じて、前記第１コンテンツの縦横比を保ったまま当該第１コンテンツの縮尺を変更することで、前記第１コンテンツのうち前記表示範囲内に表示される範囲の縦横比を変更する変更手順と
を実行させることを特徴とする情報表示プログラム。 
【請求項２】
前記変更手順は、前記第１コンテンツのうち前記表示範囲内に表示される範囲の縦横比を、前記表示範囲の縦横比に合わせる
処理であることを特徴とする請求項１に記載の情報表示プログラム。 
【請求項３】
前記変更手順は、縦方向の表示サイズが、前記表示範囲の縦方向の表示サイズと同一となる様に、前記第１コンテンツの縮尺を変更する
処理であることを特徴とする請求項１または２に記載の情報表示プログラム。 
【請求項４】
前記変更手順は、前記利用者の操作により前記表示範囲の広さが狭まった場合は、前記第１コンテンツの縦横比を保ったまま表示サイズを縮小することで、当該第１コンテンツのうち画面上に表示される範囲を拡大する
処理であることを特徴とする請求項１〜３のうちいずれか１つに記載の情報表示プログラム。 
【請求項５】
前記変更手順は、利用者の操作により前記表示範囲の広さが広がった場合は、前記第１コンテンツの縦横比を保ったまま表示サイズを拡大することで、当該第１コンテンツのうち画面上に表示される範囲を縮小する
処理であることを特徴とする請求項１〜４のうちいずれか１つに記載の情報表示プログラム。 
【請求項６】
前記変更手順は、前記第２コンテンツを移動させる操作に基づいて、前記第２コンテンツと前記表示領域とを移動させることで、前記表示範囲の大きさが変化した場合は、前記第１コンテンツの縮尺と、当該第１コンテンツのうち前記表示範囲内に表示される範囲の縦横比とを変更する
処理であることを特徴とする請求項１〜５のうちいずれか１つに記載の情報表示プログラム。 
【請求項７】
前記変更手順は、前記第２コンテンツを移動させる操作に基づいて、当該第２コンテンツのうち画面上に表示される範囲の大きさと、前記表示範囲の大きさとを変更する
処理であることを特徴とする請求項６に記載の情報表示プログラム。 
【請求項８】
前記変更手順は、前記第２コンテンツを移動させる操作の結果、前記表示範囲の大きさが変化した場合は、変化後の大きさに応じて、前記第１コンテンツの縮尺と、前記表示範囲内に表示される範囲の縦横比とを変更する
処理であることを特徴とする請求項６または７に記載の情報表示プログラム。 
【請求項９】
前記表示手順は、前記表示範囲内に前記第１コンテンツのうち一部の領域を配置して表示し、
前記変更手順は、前記第１コンテンツの移動操作が行われた場合は、前記第１コンテンツのうち前記表示範囲内に表示される範囲を変更する
処理であることを特徴とする請求項１〜８のうちいずれか１つに記載の情報表示プログラム。 
【請求項１０】
前記変更手順は、前記第１コンテンツの左端と前記表示範囲の左端とを接触させたまま、前記第１コンテンツの縮尺と、前記表示範囲内に表示される範囲の縦横比とを変更する
処理であることを特徴とする請求項１〜９のうちいずれか１つに記載の情報表示プログラム。 
【請求項１１】
前記変更手順は、前記表示範囲が狭まった場合は、前記第１コンテンツの中心を前記表示範囲の中心の方向へ徐々に移動させながら、当該第１コンテンツの縮尺と前記表示範囲内に表示される範囲の縦横比とを変更する
処理であることを特徴とする請求項１〜１０のいずれか１つに記載の情報表示プログラム。 
【請求項１２】
前記表示手順は、横幅が画面の横幅と同じ表示サイズの前記表示範囲内に前記第１コンテンツを配置する
処理であることを特徴とする請求項１〜１１のうちいずれか１つに記載の情報表示プログラム。 
【請求項１３】
前記表示手順は、前記画面の上端または下端に、前記表示領域を配置する
処理であることを特徴とする請求項１〜１２のうちいずれか１つに記載の情報表示プログラム。 
【請求項１４】
前記表示手順は、前記第１コンテンツとして、前記表示領域の全体よりも表示サイズが大きいコンテンツを表示する
処理であることを特徴とする請求項１〜１３のうちいずれか１つに記載の情報表示プログラム。 
【請求項１５】
前記表示手順は、前記第１コンテンツとして、複数のコンテンツを横方向に並べた第１コンテンツを表示する
処理であることを特徴とする請求項１〜１４のうちいずれか１つに記載の情報表示プログラム。 
【請求項１６】
前記表示手順は、前記第１コンテンツとして、それぞれが同じ動画像の異なるフレームを示す複数の画像を横方向に並べたコンテンツを表示する
処理であることを特徴とする請求項１〜１５のうちいずれか１つに記載の情報表示プログラム。 
【請求項１７】
前記表示手順は、前記複数の画像として、利用者によって選択された際に前記動画像の対応するフレームから再生を開始する画面に遷移可能な画像を横方向に並べたコンテンツを表示する
処理であることを特徴とする請求項１６に記載の情報表示プログラム。 
【請求項１８】
前記表示手順は、前記第１コンテンツとして、動画像を含む第１コンテンツを表示し、
前記変更手順は、前記第１コンテンツの縮尺を変更するとともに、当該第１コンテンツに含まれる動画像のうち、表示するフレームを変更する
処理であることを特徴とする請求項１〜１７のうちいずれか１つに記載の情報表示プログラム。 
【請求項１９】
情報表示装置が実行する情報表示方法であって、
所定の表示領域のうち画面上に表示される範囲である表示範囲に、横方向の表示サイズが前記表示領域よりも大きい第１コンテンツを配置し、当該第１コンテンツとは異なる第２コンテンツを当該表示領域と並べて配置して、前記第１コンテンツ及び前記第２コンテンツを表示する表示工程と、
利用者の操作により前記表示領域を移動させることで変化した前記表示範囲の大きさに応じて、前記第１コンテンツの縦横比を保ったまま当該第１コンテンツの縮尺を変更することで、前記第１コンテンツのうち前記表示範囲内に表示される範囲の縦横比を変更する変更工程と
を含むことを特徴とする情報表示方法。 
【請求項２０】
所定の表示領域のうち画面上に表示される範囲である表示範囲に、横方向の表示サイズが前記表示領域よりも大きい第１コンテンツを配置し、当該第１コンテンツとは異なる第２コンテンツを当該表示領域と並べて配置して、前記第１コンテンツ及び前記第２コンテンツを表示する表示する表示部と、
利用者の操作により前記表示領域を移動させることで変化した前記表示範囲の大きさに応じて、前記第１コンテンツの縦横比を保ったまま当該第１コンテンツの縮尺を変更することで、前記第１コンテンツのうち前記表示範囲内に表示される範囲の縦横比を変更する変更部と
を有することを特徴とする情報表示装置。
【手続補正３】
【補正対象書類名】明細書
【補正対象項目名】０００１
【補正方法】変更
【補正の内容】
【０００１】
本発明は、情報表示プログラム、情報表示方法、および情報表示装置に関する。
【手続補正書】
【提出日】平成28年11月14日(2016.11.14)
【手続補正１】
【補正対象書類名】特許請求の範囲
【補正対象項目名】全文
【補正方法】変更
【補正の内容】
【特許請求の範囲】
【請求項１】
コンピュータに
所定の表示領域のうち画面上に表示される範囲である表示範囲に横方向の表示サイズが前記表示領域よりも大きい第１コンテンツを配置し、当該第１コンテンツとは異なる第２コンテンツを当該表示領域と画面縦方向に並べて配置して、前記第１コンテンツ及び前記第２コンテンツを表示する表示手順と、
利用者の操作により前記表示領域を画面縦方向に移動させるスクロール操作により前記表示範囲の広さが狭まった場合は、前記第１コンテンツの縦横比を保ったまま当該第１コンテンツの表示サイズを縮小することで、前記第１コンテンツのうち前記表示範囲内に表示される範囲を拡大する変更手順と
を実行させることを特徴とする情報表示プログラム。
【請求項２】
前記変更手順は、縦方向の表示サイズが、前記表示範囲の縦方向の表示サイズと同一となる様に、前記第１コンテンツの表示サイズを縮小する
処理であることを特徴とする請求項１に記載の情報表示プログラム。
【請求項３】
コンピュータに
所定の表示領域のうち画面上に表示される範囲である表示範囲に横方向の表示サイズが前記表示領域よりも大きい第１コンテンツを配置し、当該第１コンテンツとは異なる第２コンテンツを当該表示領域と画面縦方向に並べて配置して、前記第１コンテンツ及び前記第２コンテンツを表示する表示手順と、
利用者の操作により前記表示領域を画面縦方向に移動させるスクロール操作により前記表示範囲の広さが広がった場合は、前記第１コンテンツの縦横比を保ったまま当該第１コンテンツの表示サイズを拡大することで、前記第１コンテンツのうち前記表示範囲内に表示される範囲を縮小する変更手順と
を実行させることを特徴とする情報表示プログラム。
【請求項４】
前記変更手順は、縦方向の表示サイズが、前記表示範囲の縦方向の表示サイズと同一となる様に、前記第１コンテンツの表示サイズを拡大する
処理であることを特徴とする請求項３に記載の情報表示プログラム。
【請求項５】
前記表示手順は、前記第１コンテンツとして、複数のコンテンツを横方向に並べた第１コンテンツを表示する
処理であることを特徴とする請求項１〜４のうちいずれか１つに記載の情報表示プログラム。
【請求項６】
前記表示手順は、前記第１コンテンツとして、それぞれが同じ動画像の異なるフレームを示す複数の画像を横方向に並べたコンテンツを表示する
処理であることを特徴とする請求項１〜５のうちいずれか１つに記載の情報表示プログラム。
【請求項７】
前記表示手順は、前記複数の画像として、利用者によって選択された際に前記動画像の対応するフレームから再生を開始する画面に遷移可能な画像を横方向に並べたコンテンツを表示する
処理であることを特徴とする請求項６に記載の情報表示プログラム。
【請求項８】
コンピュータに
所定の表示領域のうち画面上に表示される範囲である表示範囲に縦方向の表示サイズが前記表示領域よりも大きい第１コンテンツを配置し、当該第１コンテンツとは異なる第２コンテンツを当該表示領域と画面横方向に並べて配置して、前記第１コンテンツ及び前記第２コンテンツを表示する表示手順と、
利用者の操作により前記表示領域を画面横方向に移動させるスクロール操作により前記表示範囲の広さが狭まった場合は、前記第１コンテンツの縦横比を保ったまま当該第１コンテンツの表示サイズを縮小することで、前記第１コンテンツのうち前記表示範囲内に表示される範囲を拡大する変更手順と
を実行させることを特徴とする情報表示プログラム。
【請求項９】
コンピュータに
所定の表示領域のうち画面上に表示される範囲である表示範囲に縦方向の表示サイズが前記表示領域よりも大きい第１コンテンツを配置し、当該第１コンテンツとは異なる第２コンテンツを当該表示領域と画面横方向に並べて配置して、前記第１コンテンツ及び前記第２コンテンツを表示する表示手順と、
利用者の操作により前記表示領域を画面横方向に移動させるスクロール操作により前記表示範囲の広さが広がった場合は、前記第１コンテンツの縦横比を保ったまま当該第１コンテンツの表示サイズを拡大することで、前記第１コンテンツのうち前記表示範囲内に表示される範囲を縮小する変更手順と
を実行させることを特徴とする情報表示プログラム。
【請求項１０】
前記変更手順は、前記第２コンテンツを移動させる操作に基づいて、前記第２コンテンツと前記表示領域とを移動させる
処理であることを特徴とする請求項１〜９のうちいずれか１つに記載の情報表示プログラム。
【請求項１１】
前記変更手順は、前記表示範囲が狭まった場合は、前記第１コンテンツの中心を前記表示範囲の中心の方向へ徐々に移動させながら、当該第１コンテンツの表示サイズを変更する
処理であることを特徴とする請求項１〜１０のいずれか１つに記載の情報表示プログラム。
【請求項１２】
前記表示手順は、前記第１コンテンツとして、動画像を含む第１コンテンツを表示し、
前記変更手順は、前記第１コンテンツの表示サイズを変更するとともに、当該第１コンテンツに含まれる動画像のうち、表示するフレームを変更する
処理であることを特徴とする請求項１〜１１のうちいずれか１つに記載の情報表示プログラム。
【請求項１３】
情報表示装置が実行する情報表示方法であって、
所定の表示領域のうち画面上に表示される範囲である表示範囲に横方向の表示サイズが前記表示領域よりも大きい第１コンテンツを配置し、当該第１コンテンツとは異なる第２コンテンツを当該表示領域と画面縦方向に並べて配置して、前記第１コンテンツ及び前記第２コンテンツを表示する表示工程と、
利用者の操作により前記表示領域を画面縦方向に移動させるスクロール操作により前記表示範囲の広さが狭まった場合は、前記第１コンテンツの縦横比を保ったまま当該第１コンテンツの表示サイズを縮小することで、前記第１コンテンツのうち前記表示範囲内に表示される範囲を拡大する変更工程と
を含むことを特徴とする情報表示方法。
【請求項１４】
所定の表示領域のうち画面上に表示される範囲である表示範囲に横方向の表示サイズが前記表示領域よりも大きい第１コンテンツを配置し、当該第１コンテンツとは異なる第２コンテンツを当該表示領域と画面縦方向に並べて配置して、前記第１コンテンツ及び前記第２コンテンツを表示する表示部と、
利用者の操作により前記表示領域を画面縦方向に移動させるスクロール操作により前記表示範囲の広さが狭まった場合は、前記第１コンテンツの縦横比を保ったまま当該第１コンテンツの表示サイズを縮小することで、前記第１コンテンツのうち前記表示範囲内に表示される範囲を拡大する変更部と
を有することを特徴とする情報表示装置。
【請求項１５】
情報表示装置が実行する情報表示方法であって、
所定の表示領域のうち画面上に表示される範囲である表示範囲に横方向の表示サイズが前記表示領域よりも大きい第１コンテンツを配置し、当該第１コンテンツとは異なる第２コンテンツを当該表示領域と画面縦方向に並べて配置して、前記第１コンテンツ及び前記第２コンテンツを表示する表示工程と、
利用者の操作により前記表示領域を画面縦方向に移動させるスクロール操作により前記表示範囲の広さが広がった場合は、前記第１コンテンツの縦横比を保ったまま当該第１コンテンツの表示サイズを拡大することで、前記第１コンテンツのうち前記表示範囲内に表示される範囲を縮小する変更工程と
を含むことを特徴とする情報表示方法。
【請求項１６】
所定の表示領域のうち画面上に表示される範囲である表示範囲に横方向の表示サイズが前記表示領域よりも大きい第１コンテンツを配置し、当該第１コンテンツとは異なる第２コンテンツを当該表示領域と画面縦方向に並べて配置して、前記第１コンテンツ及び前記第２コンテンツを表示する表示部と、
利用者の操作により前記表示領域を画面縦方向に移動させるスクロール操作により前記表示範囲の広さが広がった場合は、前記第１コンテンツの縦横比を保ったまま当該第１コンテンツの表示サイズを拡大することで、前記第１コンテンツのうち前記表示範囲内に表示される範囲を縮小する変更部と
を有することを特徴とする情報表示装置。
【請求項１７】
情報表示装置が実行する情報表示方法であって、
所定の表示領域のうち画面上に表示される範囲である表示範囲に縦方向の表示サイズが前記表示領域よりも大きい第１コンテンツを配置し、当該第１コンテンツとは異なる第２コンテンツを当該表示領域と画面横方向に並べて配置して、前記第１コンテンツ及び前記第２コンテンツを表示する表示工程と、
利用者の操作により前記表示領域を画面横方向に移動させるスクロール操作により前記表示範囲の広さが狭まった場合は、前記第１コンテンツの縦横比を保ったまま当該第１コンテンツの表示サイズを縮小することで、前記第１コンテンツのうち前記表示範囲内に表示される範囲を拡大する変更工程と
を含むことを特徴とする情報表示方法。
【請求項１８】
所定の表示領域のうち画面上に表示される範囲である表示範囲に縦方向の表示サイズが前記表示領域よりも大きい第１コンテンツを配置し、当該第１コンテンツとは異なる第２コンテンツを当該表示領域と画面横方向に並べて配置して、前記第１コンテンツ及び前記第２コンテンツを表示する表示部と、
利用者の操作により前記表示領域を画面横方向に移動させるスクロール操作により前記表示範囲の広さが狭まった場合は、前記第１コンテンツの縦横比を保ったまま当該第１コンテンツの表示サイズを縮小することで、前記第１コンテンツのうち前記表示範囲内に表示される範囲を拡大する変更部と
を有することを特徴とする情報表示装置。
【請求項１９】
情報表示装置が実行する情報表示方法であって、
所定の表示領域のうち画面上に表示される範囲である表示範囲に縦方向の表示サイズが前記表示領域よりも大きい第１コンテンツを配置し、当該第１コンテンツとは異なる第２コンテンツを当該表示領域と画面横方向に並べて配置して、前記第１コンテンツ及び前記第２コンテンツを表示する表示工程と、
利用者の操作により前記表示領域を画面横方向に移動させるスクロール操作により前記表示範囲の広さが広がった場合は、前記第１コンテンツの縦横比を保ったまま当該第１コンテンツの表示サイズを拡大することで、前記第１コンテンツのうち前記表示範囲内に表示される範囲を縮小する変更工程と
を含むことを特徴とする情報表示方法。
【請求項２０】
所定の表示領域のうち画面上に表示される範囲である表示範囲に縦方向の表示サイズが前記表示領域よりも大きい第１コンテンツを配置し、当該第１コンテンツとは異なる第２コンテンツを当該表示領域と画面横方向に並べて配置して、前記第１コンテンツ及び前記第２コンテンツを表示する表示部と、
利用者の操作により前記表示領域を画面横方向に移動させるスクロール操作により前記表示範囲の広さが広がった場合は、前記第１コンテンツの縦横比を保ったまま当該第１コンテンツの表示サイズを拡大することで、前記第１コンテンツのうち前記表示範囲内に表示される範囲を縮小する変更部と
を有することを特徴とする情報表示装置。